(57)【特許請求の範囲】
【請求項１】
着色剤及び水を含有する記録液に、２０℃の水に対する溶解度が重量基準で０．２％以上、４．５％未満のポリオール（Ａ）と、下記一般式（１）及び（２）で表される化合物から選ばれた少なくとも１種（Ｂ）とを含有させた記録液であって、該ポリオール（Ａ）が、下記一般式（３）で表される化合物であり、前記着色剤が、表面にカルボキシル基が結合した顔料及び／又はカルボキシル基が結合した分散剤により分散された顔料であることを特徴とする記録液。
【化１】
0004049533.tif 000024
（式中、Ｒ１、Ｒ２は炭素数１〜３のアルキル基又はヒドロキシアルキル基を示し、Ｒ３は炭素数１０〜２０のアルキル基又はアルケニル基を示す。）
【化２】
0004049533.tif 000025
（式中、Ｒ４、Ｒ５は炭素数１〜３のアルキル基又はヒドロキシアルキル基を示し、Ｒ６はアミド基を含んでもよい炭素数１０〜１６のアルキル基又はヤシ油由来のアルキル基を示す。）
【化３】
0004049533.tif 000026
（式中、Ｒ７、Ｒ８は水素又はアルキル基を示し、Ｒ９はアルキル基を示す。Ｒ７、Ｒ８は同時に水素である場合はなく、Ｒ７、Ｒ８及びＲ９の合計炭素数は３〜９である。）
【請求項２】
該ポリオール（Ａ）が、２−エチル−１，３−ヘキサンジオール又は２，２，４−トリメチル−１，３−ペンタンジオールである請求項１に記載の記録液。
【請求項３】
該ポリオール（Ａ）の含有量が、記録液に対し、重量基準で０．１〜８％である請求項１又は２に記載の記録液。
【請求項４】
該化合物（Ｂ）の含有量が、記録液に対し、重量基準で０．０１〜４％である請求項１〜３のいずれかに記載の記録液。
【請求項５】
グリセリン、エチレングリコール、ジエチレングリコール、トリエチレングリコール、プロピレングリコール、ジプロピレングリコール、トリプロピレングリコール、１，３−ブタンジオール、２，３−ブタンジオール、１，４−ブタンジオール、１，５−ペンタンジオール、テトラエチレングリコール、１，６−ヘキサンジオール、２−メチル−２，４−ペンタンジオール、ポリエチレングリコール、１，２，４−ブタントリオール、１，２，６−ヘキサントリオール、チオジグリコール、２−ピロリドン、Ｎ−メチル−２−ピロリドン、Ｎ−ヒドロキシエチル−２−ピロリドン及び１，３−ジメチル−２−イミダゾリジノンから選ばれた少なくとも１種の水溶性有機溶剤を含有する請求項１〜４のいずれかに記載の記録液。
【請求項６】
該顔料の平均粒径が、１０〜２００ｎｍである請求項１に記載の記録液。
【請求項７】
記録液を収容した記録液収容部を備えた記録液カートリッジであって、該記録液として、請求項１〜６のいずれかに記載の記録液を用いることを特徴とする記録液カートリッジ。
【請求項８】
記録液を収容した記録液収容部と、記録液滴を吐出させるためのヘッド部を備えた記録液カートリッジであって、該記録液として、請求項１〜６のいずれかに記載の記録液を用いることを特徴とする記録液カートリッジ。
【請求項９】
記録液を微細な吐出口より液滴として吐出、飛翔させることにより、記録媒体に画像を形成する記録方法であって、該記録液として、請求項１〜６のいずれかに記載の記録液を用いることを特徴とする記録方法。
【請求項１０】
記録液に、熱エネルギーを作用させて記録媒体に画像を形成するものである請求項９に記載の記録方法。
【請求項１１】
該記録媒体が、パルプ繊維を主成分とし、サイズ度が１０Ｓ以上で、かつ透気度が５〜５０Ｓのものである請求項９又は１０に記載の記録方法。
【請求項１２】
該記録ヘッドから吐出される１滴あたりの吐出量Ｖ（ｐｌ）が、下記式（４）を満足するものである請求項９〜１１のいずれかに記載の記録方法。
２．５×１０８／Ｒ２．６  ≦Ｖ≦  ６．０×１０８／Ｒ２．６      （４）
〔式中、Ｒはパルプ繊維を主成分とし、サイズ度１０Ｓ以上，透気度５〜５０Ｓである記録媒体に対して記録を行うときの液滴の最大打ち込み密度を示し、単位ｄｐｉ（＝Dot Per Inch）で表す。〕
【請求項１３】
記録媒体上で、画素領域の少なくとも一部が重なるように、同一又は別個の吐出口から複数の記録液液滴を吐出、飛翔させて、記録媒体に画像を形成する記録方法であって、記録媒体上で重なりを生じる二つの記録液滴の吐出時間差が、０．１２５ミリ秒以下である請求項９〜１２のいずれかに記載の記録方法。
【請求項１４】
記録液を収容した記録液収容部を有する記録液カートリッジと、記録液滴を吐出させるための記録ヘッドとを備えたインクジェット記録装置又は記録液を収容した記録液収容部と、記録液滴を吐出させるための記録ヘッドとを有する記録液カートリッジを備えたインクジェット記録装置であって、請求項７又は８に記載の記録液カートリッジを備えたことを特徴とする記録装置。
【請求項１５】
請求項１〜６のいずれかに記載の記録液を用いて記録する記録媒体であって、パルプ繊維を主成分とし、サイズ度が１０Ｓ以上で、かつ透気度が５〜５０Ｓであることを特徴とする記録媒体。
【請求項１６】
請求項９〜１３のいずれかに記載の記録方法又は請求項１４に記載の記録装置に用いられる記録媒体であって、パルプ繊維を主成分とし、サイズ度が１０Ｓ以上で、かつ透気度が５〜５０Ｓであることを特徴とする記録媒体。
【発明の詳細な説明】
【０００１】
【産業上の利用分野】
本発明は、記録液、記録液カートリッジ、記録方法、記録装置及び記録媒体に関し、さらに詳しくは、ピエゾ方式、サーマル方式等のオンディマンド法、荷電制御方式の連続噴射法等のインクジェット記録用に好適な記録液、特に「普通紙」に対して優れた特性を示す記録液、さらには、水性筆記用具、記録計、ペンプロッター用としても用いられる記録液に関すると共に、この記録液を収容した記録液カートリッジ、この記録液を用いる記録方法、記録装置及びこれら記録に用いて好ましい記録媒体に関するものである。
【０００２】
【従来の技術】
近年、インクジェット記録方式は、本体が小型化され、価格も安く、低ランニングコスト、低騒音といった利点から、急速に普及している。
そして、電子写真用転写紙、印刷用紙、タイプライター用紙、ワイヤードットプリンター用紙、ワードプロセッサー用紙、レター用紙、レポート用紙等、種々のノンコートな普通紙に印字可能なインクジェットプリンターも市場に出回るよになってきた。
【０００３】
このインクジェットプリンターにおいては、より高品位な画像が得られるように乾燥性を改善した種々のインクが提案されている。
しかしながら、画像の色再現性、耐水性、耐光性、画像の乾燥性、画像滲み、インク吐出の信頼性等、全ての点を満足することはきわめて困難である。
特にカラープリンターの場合、イエロー、マゼンタ、シアンの単色印字部で画質劣化がないとしても、レッド、グリーン、ブルーの２色重ね部分で画質の劣化が生いやすい。
殊に定着装置を用いないで乾燥を行う場合、特開昭５５−２９５４６号公報等にあるように、浸透性を高めることにより乾燥性を向上させることが可能となるが、そのため、紙に著しく滲みを生じるという問題があった。
【０００４】
特公昭６０−２３７９３号公報には、界面活性剤としてジアルキルスルホコハク酸塩が乾燥性を向上し、かつ画像劣化が少ないとの記載があるが、紙による画素径が著しく異なり、画像濃度の低下も著しいといった問題がある。
【０００５】
特許第１１７５６１６号には、アセチレン結合を有するエチレンオキサイド付加体である界面活性剤を用い、浸透性を向上させることにより、滲みの少ない速乾性インクが開示されている。
しかしながら、着色剤によって、例えば、ＤＢＫ１６８等の直接性染料を用いたインクでは、着色剤と疎水性相互作用を生じるため乾燥速度が向上しない、カーボンブラック等の顔料を用いたインクでは、顔料が凝集しやすく、ノズルの目詰まり発生やインク噴射方向の曲がり等を発生しやすいといった問題があった。
【０００６】
また、同じく乾燥速度を向上するため、特開平８−１１３７３９号公報には、染料と水溶性グリコールエーテル類を含むインクが提案され、特開平１０−９５９４１号公報には、顔料とジエチレングリコールモノ−ｎ−ブチルエーテル等のグリコールエーテル類と水とからなるインク組成物が提案されている。
しかし、乾燥速度を向上するためには大量のグリコールエーテル類の添加が必要であり、インクの臭気や安全性の面からも、好ましいものとは言えないものであった。
【０００７】
特開昭５６−５７８６２号公報等には、強塩基性物質を添加したインクが開示れているが、ロジンサイズされた酸性紙では効果があるものの、アルキルケテンダイマーやアルケニルスルホコハク酸をサイズ剤とした紙に対しては効果がなく、また、酸性紙でも２色重ね部分では効果がないものであった。
【０００８】
特開平２−１３８３７４には、水溶性染料と水と特定構造のベンジルエーテルとからなる水性記録インクが提案されている。
その中で、さらにインクの浸透性を向上させるために、植物油、不飽和脂肪酸、高級アルコール、脂肪酸エステル、鉱油等の油状物質と、分子内に水酸基を有有し、水に難溶性ないし微溶性の溶剤として、２−エチル−１，６−ヘキサンジオール、ジエチレングリコールヘキシルエーテル、アセチレングリコールのエチレンオキサイド付加物（付加モル数５以下）、エチレングリコールベンジルエーテル等を添加することが提案されている。
しかしながら、これらのインクは、安全性に問題があり、なおかつ環境温度ににより、油状物質や、水難溶性、微溶性溶剤、ベンジルエーテル等が分離してしまい、安定性に重大な問題を有していた。
【０００９】
特許第２８９４５６８号には、色素と液媒体とを含む組成物であって、この液媒体中に６０重量％以上の水及び０．２〜３０重量％の炭素数７〜１０のアルキレングリコールを含有するインクジェット用インクが提案されている。
この炭素数７〜１０のアルキレングリコールの好ましい具体例として、１，７−ヘプタンジオール、２，６−ヘプタンジオール、２，４−ジメチル−２，４−ペンタンジオール、３−エチル−１，３−ペンタンジオール等が示されている。
これらの化合物をインク中に含有させることにより、普通紙上におけるインクの滲み、乾燥性及び浸透性を改善され、滲みと浸透性の点でバランスのとれ、目詰まり防止性においても信頼性が高いインクを提供できるとしている。
しかし、実際には、これら例示化合物の添加では、インクの浸透性改善が不十分であり、よって乾燥性が低く、また、紙種によっては滲みが発生しやすい等、従来からの課題はなんら解決されていないものであった。
【００１０】
特許第２７１４４８２号には、少なくとも６個の炭素原子を有し、かつ２５℃の水１００重量部に、少なくとも４．５重量部の溶解度を有する特定構造の脂肪族ジオール化合物を含有するインクジェットインクが提案されている。
これらのジオール化合物はとして、２−エチル−２−メチル−１，３−プロパンジオール、３，３−ジメチル−１，２−ブタンジオール、２，２−ジエチル−１，３−プロパンジオール、２−メチル−２−プロピル−１，３−プロパンジオール、２，４−ジメチル−２，４−ペンタンジオール、２，５−ジメチル−２，５−ヘキサンジオール、５−ヘキセン−１，２−ジオール等が例示されているが、いずれを添加したインクも、十分な浸透性を有するとは言えず、カラーブリードやフェザリングを生じるという問題があった。
【００１１】
特開平５−１３２６４３には、インクジェット印刷におけるカラーブリードを軽減させる方法として、ビヒクル、水溶性染料、少なくともミセルの臨界的濃度と等しい量の両イオン性界面活性剤及び非イオン性界面活性剤からなる群から選ばれた少なくとも一つ、ミセルの形成をサポートするための有機溶媒及び水とからなる組成を有するインクで熱インクジェット印刷に採用されるインクが提案されている。
しかしながら、上記記載の界面活性剤では、インクに十分な浸透性を付与できないため、ブリード防止効果は、いまだだ不十分なものであった。
【００１２】
特開平１１−７１５４３号公報には、染料、水不溶性有機化合物、水不溶性有機化合物及び水と混和可能な第二の有機化合物と、両親媒性物質及び水からなるマイクロエマルジョンを含んでなり、上記両親媒性物質が、上記マイクロエマルジョンにおける上記の水不溶性有機化合物を可溶化するに足るだけの量で存在することを特徴とする組成物が提案され、これにより乾燥時間が短縮され、滲みのないプリントをもたらすとしている。
しかしながら、実質的に乾燥性を改善するには、実施例で示されるように、３０重量％を越す多量の水不溶性有機化合物及び両親媒性物質の添加が必要であり、したがって、インク粘度が高くなるためインクの吐出力の高いヘッドが必要であったり、インクのコストが高くなる等の問題があった。
【００１３】
さらに、特開平９−３３７１号公報には、液体ビヒクル、着色剤、１０〜２０重量％のベタイン両イオン性ベース及び２〜５重量％の準界面活性剤を含有するインクジェット印刷用インク組成物が提案されている。
ベタイン自体は界面活性剤特性を持たないが、準界面活性剤と混合することにより速乾特性が改良されるとしている。
ここで、準界面活性剤とは、１，２−ヘキサンジオール、１，２−オクタンジオール、ジエチレングリコールブチルエーテル、２−メチル−２−プロピル−１，３−プロパンジオール等を言うが、これらとベタインとを混合したとしても、速乾性の向上はわずかであり、かつ多量なベタイン、準界面活性剤の添加が必要であり、いたずらにインク粘度を増大させ、上記の特開平１１−７１５４３号公報と同様な問題を有していた。
【００１４】
本出願人は、先に、浸透性を高める目的で、２−エチル−１，３−ヘキサンジオールを含有する水性インク及びこれを用いた記録方法を提案している（特開平６−１５７９５９号公報）。
この発明に用いる２−エチル−１，３−ヘキサンジオールは、上記の特許第２８９４５６８号における例示化合物に含まれていないだけでなく、本発明者らによって多種多様な化合物の中から試行錯誤の末、見出されたものである。
これにより、インクジェットインクとしての諸特性を満足し、浸透性、乾燥性に優れ、かつ画質劣化の改良された水性インク組成物を提供することができ、このインク組成物を用いて良好に画像形成をするための記録方法を提供することができ、少量の添加量で高周波駆動の吐出安定性が得られ、かつ安全性の高いインクを用いた記録方法を提供することができたのである。
【００１５】
ところが、近年のめまぐるしい技術の進歩により、インクジェットプリンターの出力速度は上昇の一途を辿り、また、今後もさらに高速化が進むことは必至である。
このような状況下、インクはより一層の高速印字においても、カラーブリードを起こすことなく、出力後、擦っても手指を汚すことなく、即座に乾燥することが求められる。
一般に、乾燥性の高いインクは、紙への浸透性を向上させる一方で、着色剤が紙の厚み方向に侵入することにより、画像濃度低下、裏抜け濃度増大という欠点を有している。
とりわけ、インクジェットプリンターの発展と環境問題としての紙消費の点から、両面印字が必須になることは明かであり、高乾燥性の一方で、両面印字を可能とする裏抜けの少ない水性インクが求められているとも言うことができる。
【００１６】
このように、現在においても、インクジェットインクとしての諸特性を満足し、着色剤種や紙種に関わらず、浸透性、乾燥性に優れ、かつ画質及び裏抜けの改良された水性インクジェット用インクへの希求は、厳然として存在している。
また、近年では、バーコード印刷、郵便等の消印印刷等の分野で、通常は、視認不可能でありながら、赤外線や紫外線により記録情報を読み取ることのできるシステムも実用化されている。
環境汚染防止の観点から、これらに用いられる記録液も水性化が検討されてきており、かつ、このようなシステムに必須の高速処理に対応するためには、水性でありながら、高浸透性の記録液が必要になってきているのが現状である。
【００１７】
【発明が解決しようとする課題】
本発明は、このような現状に鑑みて、従来の問題点を克服し、高い浸透性を有し、吐出・噴射安定性、保存安定性に優れた記録液（本発明においては、インクということがある）を提供すること、この記録液を収容した記録液カートリッジを提供すること、この記録液又は記録液カートリッジを用いて、画像濃度が高く、高速性に富み、裏抜け等の少ない優れた画質を有する画像を高い安全性の下に形成し得る記録方法、記録装置を提供すること及びこれら記録に好適に用いられる記録媒体を提供することをその課題とするものである。
【００１８】
【課題を解決するための手段】
本発明者らは、上記課題を解決するために、記録液に配合する成分に着目して鋭意検討を重ねた結果、特定のポリオールと共に特定の化合物を配合することによって、高い浸透性を有し、吐出・噴射安定性、保存安定性に優れた記録液が得られ、この記録液を用いることによって、画像濃度が高く、高速性に富み、裏抜け等の少ない優れた画質を有する画像を高い安全性の下に形成し得る記録方法、記録装置とすることがてきるということを見出し、この知見に基づいて本発明を完成するに到ったのである。
【００１９】
すなわち、本発明によれば、第１に、着色剤及び水を含有する記録液に、２０℃の水に対する溶解度が重量基準で０．２％以上、４．５％未満のポリオール（Ａ）と、下記一般式（１）及び（２）で表される化合物から選ばれた少なくとも１種（Ｂ）とを含有させたことを特徴とする記録液が提供され、第２に、記録液
【化４】
0004049533.tif 000002
（式中、Ｒ1、Ｒ2は炭素数１〜３のアルキル基又はヒドロキシアルキル基を示し、Ｒ3は炭素数１０〜２０のアルキル基又はアルケニル基を示す。）
【化５】
0004049533.tif 000003
（式中、Ｒ4、Ｒ5は炭素数１〜３のアルキル基又はヒドロキシアルキル基を示し、Ｒ6はアミド基を含んでもよい炭素数１０〜１６のアルキル基又はヤシ油由来のアルキル基を示す。）
を収容した記録液収容部を備えた記録液カートリッジであって、該記録液として、第１の記録液を用いることを特徴とする記録液カートリッジ及び記録液を収容した記録液収容部と、記録液滴を吐出させるためのヘッド部を備えた記録液カートリッジであって、該記録液として、第１の記録液を用いることを特徴とする記録液カートリッジが提供され、第３に、記録液を微細な吐出口より液滴として吐出、飛翔させることにより、記録媒体に画像を形成する記録方法であって、該記録液として、第１の記録液を用いることを特徴とする記録方法が定期用され、第４に、記録液を収容した記録液収容部を有する記録液カートリッジと、記録液滴を吐出させるための記録ヘッドとを備えたインクジェット記録装置又は記録液を収容した記録液収容部と、記録液滴を吐出させるための記録ヘッドとを有する記録液カートリッジを備えたインクジェット記録装置であって、第２の記録液カートリッジを備えたことを特徴とする記録装置が定期用され、第５に、第１の記録液を用いて記録する記録媒体であって、パルプ繊維を主成分とし、サイズ度が１０Ｓ以上で、かつ透気度が５〜５０Ｓであることを特徴とする記録媒体が提供される。
【００２０】
本発明は、第１に、着色剤及び水を含有する記録液に、２０℃の水に対する溶解度が重量基準で０．２％以上、４．５％未満のポリオール（Ａ）と、下記一般式（１）及び（２）で表される化合物から選ばれた少なくとも１種（Ｂ）とを含有させたことを特徴とする記録液を提供する。
【化６】
0004049533.tif 000004
（式中、Ｒ1、Ｒ2は炭素数１〜３のアルキル基又はヒドロキシアルキル基を示し、Ｒ3は炭素数１０〜２０のアルキル基又はアルケニル基を示す。）
【化７】
0004049533.tif 000005
（式中、Ｒ4、Ｒ5は炭素数１〜３のアルキル基又はヒドロキシアルキル基を示し、Ｒ6はアミド基を含んでもよい炭素数１０〜１６のアルキル基又はヤシ油由来のアルキル基を示す。）
【００２１】
２０℃の水に対する溶解度が重量基準で０．２％以上、４．５％未満のポリオール（Ａ）としては、下記一般式（３）で表される１，３−ジオールが好ましく用いられる。
【化８】
0004049533.tif 000006
（式中、Ｒ7、Ｒ8は水素又はアルキル基を示し、Ｒ9はアルキル基を示す。Ｒ7、Ｒ8は同時に水素である場合はなく、Ｒ7、Ｒ8及びＲ9の合計炭素数は３〜９である。）
この１，３−ジオールを用いると、浸透特性の改善がより効果的であり、少量の添加ですむため、安全面、臭気等の点から、好適なポリオールとして採用される。
この理由は定かでないが、この１，３−ジオールは、分子構造上、非対称で、かつ分岐構造を有しているため、表面への吸着効率、速度を向上させ、よって浸透性を効率よく改善できるものと考えられる。
【００２２】
好ましい具体的なポリオール（Ａ）としては、２−エチル−１，３−ヘキサンジオール（２０℃の水に対する溶解度：４．２％）、２，２，４−トリメチル−１，３−ペンタンジオール（２０℃の水に対する溶解度：３．０％）を挙げることができる。
これらジオールは、得られる記録液の安全性や保存安定性の点から好ましく、いずれも工業的に有用な材料であり、比較的大量に扱われているため、比較的低コストで記録液の製造が可能という利点もある。
【００２３】
一般式（１）で表される化合物としては、下記式（１）−１〜（１）−７で表わされるものが挙げられるが、これらに限定されるものではない。
【化９】
0004049533.tif 000007
【化１０】
0004049533.tif 000008
【化１１】
0004049533.tif 000009
【化１２】
0004049533.tif 000010
【化１３】
0004049533.tif 000011
【化１４】
0004049533.tif 000012
【化１５】
0004049533.tif 000013
【００２４】
これら化合物は、単独で用いても、複数のものを混合して用いてもよい。
市販の界面活性剤で、本化合物を主成分として含有するものとしては、日本油脂（株）より入手可能なユニセーフシリーズの界面活性剤、ライオン（株）より入手可能なアロモックスシリーズ、花王（株）より入手可能なアンヒトール２０Ｎがある。
【００２５】
一般式（２）で表される化合物としては、下記式（２）−１〜（２）−５で表わされるものが挙げられるが、これらに限定されるものではない。
【化１６】
0004049533.tif 000014
【化１７】
0004049533.tif 000015
【化１８】
0004049533.tif 000016
【化１９】
0004049533.tif 000017
【化２０】
0004049533.tif 000018
なお、（２）−２のＲはヤシ油残基、（２）−５のＲはヤシ油脂肪酸残基を示す。
【００２６】
これら化合物は、単独で用いても、複数のものを混合して用いてもよい。
市販の界面活性剤で本化合物を主成分として含有するものとしては、花王（株）より入手可能なアンヒトールシリーズ、日本油脂（株）より入手可能なニッサンアノンシリーズ、三洋化成工業（株）より入手可能なレボンシリーズ、ライオン（株）より入手可能なリポミンシリーズ、日光ケミカルズ（株）より入手可能なＳＷＡＮＯＬ  ＳＭシリーズ及びＭＩＲＡＴＡＩＮＥシリーズ、第一工業製薬（株）より入手可能なアモーゲンシリーズ、東邦化学工業（株）より入手可能なオバゾリンシリーズ等がある。
この場合、記録液をインクジェット等の微細ノズルより噴射させて使用するときは、ノズル詰まり等が起こりにくくするために無機塩を除去して使用することが好ましい。
【００２７】
上記の化合物（Ｂ）としては、一般式（１）、（２）で表される化合物をそれぞれ単独で用いても、それぞれを混合して用いてもよい。
【００２８】
本発明の記録液は、上記の化合物（Ｂ）と共に、ポリオール（Ａ）として、２０℃の水に対する溶解度が重量基準で０．２％以上４．５％未満のポリオールを含有させることにより、きわめて高い浸透性を有し、かつ液中で分離することなく安定で、安全性の高い記録液とすることができるものである。
【００２９】
その作用については、いまだ明らかではないが、以下のように推測される。
すなわち、水に対する溶解度が０．２％以上４．５％未満のポリオールは、水を主成分とする記録液中で表面に吸着しやすく、かついわゆる界面活性剤と比べ、分子量が比較的小さいため、表面への吸着速度が著しく高い。
つまり、ポリオールが表面に吸着することで、界面活性剤のように液体の表面張力を速やかに低下させることができる。
しかしながら、ポリオールは、界面活性剤と比べ、親水性・疎水性の差が小さいため、ポリオールのみで高い浸透性を得るためには、多量に添加しなければならなかった。
このとき、ポリオールを多量に添加した記録液は、安全性、相分離、着色剤への吸着そして凝集、場合によっては臭気等の問題があり、好ましくものではなかった。
一方、化合物（Ｂ）の界面活性剤も、表面張力を下げ、浸透性を向上させることが知られているが、界面活性剤分子の大きさ又はその形状から、表面への吸着速度は必ずしも高くはないため、十分な浸透性を得ることができなかった。
【００３０】
そこで、ポリオール（Ａ）と化合物（Ｂ）とを併用すると、その相乗効果により、ごく少量の使用で著しく高い浸透特性が得られ、このような高浸透で、化合物（Ｂ）は、空気中の炭酸等の影響により窒素部分がプラス帯電しやすく、着色剤成分がアニオン成分を不溶化させるゆえ、滲みやカラーブリード低減に効果的であることを見出し、本発明に到ったのである。
【００３１】
ポリオール（Ａ）の含有量は、記録液に対し、重量基準で０．１〜８％であるることが好ましい。
０．１％未満では、浸透性の改善が不十分となり、８％を越えると、記録液中で安定に溶解せず、記録液の保存安定性、インクジェットでの噴射安定性に問題生じることがある。
より好ましくは、０．５〜５％である。
【００３２】
化合物（Ｂ）の含有量は、記録液に対し、重量基準で０．０１〜４％であることが好ましい。
０．０１％未満では、浸透性の改善が不十分となり、４％を越えると、記録液中に安定に溶解しなかったり、溶解したとしても粘度が高くなり、記録液の保存安定性、インクジェットでの噴射安定性に問題を生じることがある。
より好ましくは、０．０５〜２％である。
【００３３】
水に対する溶解度が低く、単独に記録液中に添加した場合には、環境条件により、分離しやすいポリオール（Ａ）を化合物（Ｂ）が相溶化することで安定な記録液を得ることができる。
記録液の安定性のみならず、ポリオール（Ａ）と化合物（Ｂ）との混合が相乗効果を発揮し、それぞれを単独で含有した記録液に比べ、少量の添加で高い浸透性を得ることができる。
すなわち、従来の多価アルコールのエーテル類等を多量に加えて浸透性を向上させる記録液に比べ、記録液中への添加量が少ない状態で効果が得られるため、溶剤臭が少ない、記録液自体の安全性も高い等の利点もある。
【００３４】
また、特許第２８９４５６８号には、色素と液媒体とを含む組成物であって、上記液媒体中に６０重量％以上の水及び０．２〜３０重量％の炭素数７〜１０のアルキレングリコールを含有するインクジェット用インクが提案されているが、炭素数７〜１０のアルキレングリコールであっても、水酸基の結合位置又は炭素数により、その化合物の水に対する親和性やそれらを含有するインクの浸透性に大きな違いを生じることは自明である。
本発明のポリオール（Ａ）は、許第２８９４５６８号中の例示化合物に含まれれていないだけでなく、本発明者らにより、多種多様の化合物の中から試行錯誤の末、見出されたものである。
さらに、ポリオール（Ａ）と化合物（Ｂ）とを組み合わせて用いる本発明は、炭素数７〜１０のアルキレングリコール」であれば有効だとする特許第２８９４５６８号と比べ、インクの浸透性又はは画像滲みの点で、効果の差は歴然としている。
【００３５】
また、インクに熱エネルギーを付与して微細孔から液滴としてインクを吐出させて記録を行うバブルやサーマル方式等の記録方法において、吐出安定性を得るために、従来では、２−プロパノールを添加する方法があるが、代りにポリオール（Ａ）を添加することによって、熱素子への濡れ性が改良され、少量の添加量てあっても吐出安定性及び周波数安定性が得られ、２−プロパノールの使用に伴う安全性に関する問題も改善される。
【００３６】
さらに、本発明においては、２−ピロリドンを記録液に添加すると、画像濃度の向上と共に、裏抜けを防止する上で優れた効果が得られることを見出した。
これは、２−ピロリドンを含有させることにより、紙表面に対して記録液が濡れ拡がりやすくなり、相対的に紙の厚み方向への浸透が抑えられるため、紙表面近傍に着色剤をとどまりやすくなるためであると推測される。
２−ピロリドンの添加量は、記録液に対し、重量基準で０．０５〜８％、好ましくは、０．５〜４％である。
【００３７】
さらにまた、本発明の記録液にあっては、記録液の乾燥による目詰まりの防止及び記録液の溶解安定性を向上させる目的で、湿潤剤を記録液に対し、重量基準で５〜５０％含有させることにより、インクジェットヘッドの吐出口で、記録液中の水分が蒸発した場合であっても、目詰まりを起しにくく正常な印字を行うことができ、仮に目詰まりを起しても簡単なクリーニング操作で正常な印字状態に回復できるということを見出した。
この湿潤剤としては、低揮発性水溶性有機溶媒が好ましい。
また、低揮発性水溶性有機溶媒は、ポリオール（Ａ）及び化合物（Ｂ）の溶解助剤としても機能するものであり、より一層、記録液の保存安定性、噴射安定性を高めることに寄与するものである。
【００３８】
低揮発性水溶性有機溶媒としては、エチレングリコール、ジエチレングリコール、トリエチレングリコール、テトラエチレングリコール、プロピレングリコール、ジプロピレングリコール、トリプロピレングリコール、ポリエチレングリコール、ポリプロピレングリコール、１，３−ブタンジオール、２，３−ブタンジオール、１，４−ブタンジオール、１，５−ペンタンジオール、２−メチル−２，４−ペンタンジオール、１，６−ヘキサンジオール、グリセリン、１，２，６−ヘキサントリオール、１，２，４−ブタントリオール、１，２，３−ブタントリオール、ペトリオール等の多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類、エチレングリコールモノフェニルエーテル、エチレングリコールモノベンジルエーテル等の多価アルコールアリールエーテル類；２−ピロリドン、Ｎ−メチル−２−ピロリドン、Ｎ−ヒドロキシエチル−２−ピロリドン、１，３−ジメチルイミイダゾリジノン、ε−カプロラクタム、γ−ブチロラクトン等の含窒素複素環化合物；ホルムアミド、Ｎ−メチルホルムアミド、Ｎ，Ｎ−ジメチルホルムアミド等のアミド類；モノエタノールアミン、ジエタノールアミン、トリエタノールアミン、モノエチルアミン、ジエチルアミン、トリエチルアミン等のアミン類、ジメチルスルホキシド、スルホラン、チオジエタノール、チオジグリコール等の含硫黄化合物類、プロピレンカーボネート、炭酸エチレン等を挙げることができる。
これらの溶媒は、水と共に単独で又は複数を混合して用いられる。
【００３９】
低揮発性水溶性有機溶媒の添加量は、上記のとおり、５〜５０％であるが、好ましくは、８〜３０％である。
５％未満では、記録液中の水分蒸発抑制効果が不十分であり、また記録液中のポリオール（Ａ）、化合物（Ｂ）の含有量によっては、溶解助剤としての効果も不十分となり、記録液の保存安定性、噴射安定性を損ねる等不具合を生じる。
５０％を越えると、粘度の上昇によるインクジェットでの噴射安定性が劣る、印字後の画像部のコックリングが悪化する、といった問題が生じることがあるので望ましくない。
【００４０】
本発明の記録液においては、特に、ポリオール（Ａ）と化合物（Ｂ）との相溶性の点から，水溶性有機溶剤を含有させることが好ましい。
この水溶性有機溶剤としては、グリセリン、エチレングリコール、ジエチレングリコール、トリエチレングリコール、プロピレングリコール、ジプロピレングリコール、トリプロピレングリコール、１，３−ブタンジオール、２，３−ブタンジオール、１，４−ブタンジオール、１，５−ペンタンジオール、テトラエチレングリコール、１，６−ヘキサンジオール、２−メチル−２，４−ペンタンジオール、ポリエチレングリコール、１，２，４−ブタントリオール、１，２，６−ヘキサントリオール、チオジグリコール、２−ピロリドン、Ｎ−メチル−２−ピロリドン、Ｎ−ヒドロキシエチル−２−ピロリドン、１，３−ジメチル−２−イミダゾリジノン等を挙げることができる。
これら水溶性有機溶剤の中でも、安全性、価格等の点から、グリセリン、ジエチレングリコールを単独で又は他の溶剤と混合して用いることが特に好ましい。
【００４１】
水溶性有機溶剤の添加量は、２０％以下が好ましく、５〜１５％が好適である。
【００４２】
インクジェット記録方法で、高画質を得るためには、インクジェットヘッドを構成する部材に対する記録液の濡れ性の調節が重要である。
この濡れ性の調節等のため、本発明の記録液に、さらに界面活性剤を添加することができる。
界面活性剤としては、例として、ポリオキシエチレンアルキルエーテルサルフェートのアンモニウム塩等のアニオン性界面活性剤、第４級アンモニウム塩等のカチオン系界面活性剤、イミダゾリン誘導体等の両性界面活性剤、ポリオキシエチレンアルキルフェニルエーテル、ポリオキシエチレンアルキルエステル、ポリオキシエチレンアルキルアミン、ポリオキシエチレンアルキルアミド、ソルビタン脂肪酸エステル、ポリオキシエチレンソルビタン脂肪酸エステル、アセチレンアルコールのエチレンオキサイド添加物等のノニオン系界面活性剤、フッ素系界面活性剤等が挙げられる。
これら界面活性剤は、記録液を所望の物性になるように、適宜、その種類と量が決定される。
【００４３】
本発明の記録液に用いられる着色剤としては、染料及び／又は顔料が用いられる。
着色剤として用いられる水溶性染料としては、カラーインデックスにおいて酸性染料、直接性染料、塩基性染料、反応性、食用染料に分類される染料が使用でき、これら染料は、複数を混合して用いてもよく、必要に応じて顔料等の他の色材と混合して用いてもよい。
【００４４】
酸性染料及び食用染料としては、Ｃ．Ｉ．アシッド・イエロー１７，２３，４２，４４，７９，１４２Ｃ．Ｉ．アシッド・レッド１，８，１３，１４，１８，２６，２７，３５，３７，４２，５２，８２，８７，８９，９２，９７，１０６，１１１，１１４，１１５，１３４，１８６，２４９，２５４，２８９，Ｃ．Ｉ．アシッド・ブルー９，２９，４５，９２，２４９，Ｃ．Ｉ．アシッド・ブラック１，２，７，２４，２６，９４，Ｃ．Ｉ．フード・イエロー２，３，４、Ｃ．Ｉ．フード・レッド７，９，１４，Ｃ．Ｉ．フード・ブラック１，２等が挙げられる。
【００４５】
直接性染料としては、Ｃ．Ｉ．ダイレクト・イエロー１２，２４，２６，３３，４４，５０，１２０，１３２，１４２，１４４，８６Ｃ．Ｉ．ダイレクト・レッド１，４，９，１３，１７，２０，２８，３１，３９，８０，８１，８３，８９，２２５，２２７，Ｃ．Ｉ．ダイレクト・オレンジ２６，２９，６２，１０２，Ｃ．Ｉ．ダイレクト・ブルー１，２，６，１５，２２，２５，７１，７６，７９，８６，８７，９０，９８，１６３，１６５，１９９，２０２，Ｃ．Ｉ．ダイレクト・ブラック１９，２２，３２，３８，５１，５６，７１，７４，７５，７７，１５４，１６８，１７１等が挙げられる。
【００４６】
塩基性染料としては、Ｃ．Ｉ．ベーシック・イエロー１，２，１１，１３，１４，１５，１９，２１，２３，２４，２５，２８，２９，３２，３６，４０，４１，４５，４９，５１，５３，６３，４６５，６７，７０，７３，７７，８７，９１，Ｃ．Ｉ．ベーシック・レッド２，１２，１３，１４，１５，１８，２２，２３，２４，２７，２９，３５，３６，３８，３９，４６，４９，５１，５２，５４，５９，６８，６９，７０，７３，７８，８２，１０２，１０４，１０９，１１２，Ｃ．Ｉ．ベーシック・ブルー１，３，５，７，９，２１，２２，２６，３５，４１，４５，４７，５４，６２，６５，６６，６７，６９，７５，７７，７８，８９，９２，９３，１０５，１１７，１２０，１２２，１２４，１２９，１３７，１４１，１４７，１５５，Ｃ．Ｉ．ベーシック・ブラック２，８等を挙げることができる。
【００４７】
反応性染料としては、Ｃ．Ｉ．リアクティブ・ブラック３，４，７，１１，１２，１７，Ｃ．Ｉ．リアクテイブ・イエロー１，５，１１，１３，１４，２０，２１，２２，２５，４０，４７，５１，５５，６５，６７，Ｃ．Ｉ．リアクティブ・レッド１，１４，１７，２５，２６，３２，３７，４４，４６，５５，６０，６６，７４，７９，９６，９７，Ｃ．Ｉ．リアクティブ・ブルー１，２，７，１４，１５，２３，３２，３５，３８，４１，６３，８０，９５等を挙げることができる。
【００４８】
染料としては、特に酸性染料及び直接性染料が好ましく用いることができ、本発明記録液の溶解安定性の向上や、色調、耐水性、耐光性で優れた効果が得られる。
記録液組成物中の着色剤としての染料の添加量は、重量基準で０．５〜２５％が好ましく、より好ましくは２〜１５％である。
【００４９】
用いる顔料には、特にその種類に制限はなく、無機顔料、有機顔料を使用することができる。
染料に比べ、記録液中で溶解せず、粒子として分散しているので、同じ浸透特性の記録液であっても、紙の奥深くに浸透しにくく、よって、画像濃度も高く、裏抜けの少ない良好な画質を得ることが可能になる。
本発明におけるポリオール（Ａ）、化合物（Ｂ）と共に用いることによって、記録液中での分散安定性を損なうことなく、かつ、速乾性と高画像濃度を両立した記録液を得ることができる。
【００５０】
無機顔料としては、酸化チタン、酸化鉄、炭酸カルシウム、硫酸バリウム、水酸化アルミニウム、バリウムイエロー、カドミウムレッド、クロムイエローに加え、コンタクト法、ファーネス法、サーマル法等の公知の方法によって製造されたカーボンブラックをも使用することができる。
また、有機顔料としては、アゾ顔料（アゾレーキ、不溶性アゾ顔料、縮合アゾ顔料、キレートアゾ顔料等を含む）、多環式顔料（例えば、フタロシアニン顔料、ぺリレン顔料、ぺリノン顔料、アントラキノン顔料、キナクリドン顔料、ジオキサジン顔料、インジゴ顔料、チオインジゴ顔料、イソインドリノン顔料、キノフラロン顔料等）、染料キレート（例えば、塩基性染料型キレート、酸性染料型キレート等）、ニトロ顔料、ニトロソ顔料、アニリンブラック等を挙げることができる。
【００５１】
これらの顔料のうち、水と親和性の高いものが好ましく用いられる。
記録液組成物中の顔料の添加量は、重量基準で０．５〜２５％が好ましく、より好ましくは、２〜１５％である。
【００５２】
本発明に好ましく用いられる顔料の具体例としては、黒色用として、ファーネスブラック、ランプブラック、アセチレンブラック、チャンネルブラック等のカーボンブラック（Ｃ．Ｉ．ピグメントブラック７）類又は銅、鉄（Ｃ．Ｉ．ピグメントブラック１１）、酸化チタン等の金属類、アニリンブラック（Ｃ．Ｉ．ピグメントブラック１）等の有機顔料が挙げられる。
さらに、カラー用としては、Ｃ．Ｉ．ピグメントイエロー１、３、１２、１３、１４、１７、２４、３４、３５、３７、４２（黄色酸化鉄）、５３、５５、８１、８３、９５、９７、９８、１００、１０１、１０４、４０８、１０９、１１０、１１７、１２０、１３８、１５０、１５３、Ｃ．Ｉ．ピグメントオレンジ５、１３、１６、１７、３６、４３、５１、Ｃ．Ｉ．ピグメントレッド１、２、３、５、１７、２２、２３、３１、３８、４８：２、４８：２（パーマネントレッド２Ｂ（Ｃａ））、４８：３、４８：４、４９：１、５２：２、５３：１、５７：１（ブリリアントカーミン６Ｂ）、６０：１、６３：１、６３：２、６４：１、８１、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８５、１９０、１９３、２０９、２１９、Ｃ．Ｉ．ピグメントバイオレット１（ローダミンレーキ）、３、５：１、１６、１９、２３、３８、Ｃ．Ｉ．ピグメントブルー１、２、１５（フタロシアニンブルー）、１５：１、１５：２、１５：３（フタロシアニンブルー）、１６、１７：１、５６、６０、６３、Ｃ．Ｉ．ピグメントグリーン１、４、７、８、１０、１７、１８、３６等を挙げることができる。
【００５３】
用いられるブラック用の顔料は、カーボンブラックであることが好ましい。
ブラック記録液としてのカーボンブラックは、色調に優れると共に、耐水性、退光性、分散安定性に優れ、かつ安価であるからである。
その他顔料（例えば、カーボン）の表面を樹脂等で処理し、水中に分散可能としたグラフト顔料や、顔料（例えば、カーボン）の表面にスルホン基やカルボキシル基等の官能基を付加し、水中に分散可能とした加工顔料等も使用できる。
また、顔料をマイクロカプセルに内包させ、顔料を水中に分散可能なのものとしたものであってもよい。
【００５４】
上記記録液中の顔料は、平均粒径が１０〜２００ｎｍのものが好ましい。
ここに平均粒径とは、体積累積パーセント５０％の値を言う。
体積累積パーセント５０％の値を測定するには、例えば、記録液中のブラウン運動を行っている粒子にレーザー光を照射し、粒子から戻ってくる光（後方散乱光）の振動数（光の周波数）の変化量から粒子径を求める動的光散乱法（ドップラー散乱光解析）と称される方法を用いることができる。
【００５５】
顔料を着色剤とすると、耐水性や耐光性が良好になり、さらに記録媒体の層を記録液が抜け、裏面までしみ出してまう裏抜け（以下、単に裏抜けということがある）を防止できる。
顔料は記録液中に溶解せず分散しているために、インクジェットで印字された際、記録媒体中で記録液の液体成分より記録媒体の中に入りにくく、記録媒体の表面近傍にとどまるため、乾燥は速いが裏抜けを防止することができる。
平均粒径が１０ｎｍ未満では、裏抜けを防止する効果が少なく、２００ｎｍを越えると、記録液の分散安定性が悪く、保存時に凝集等で粒径が大きくなり、吐出安定性が劣る場合があるので好ましくない。
【００５６】
顔料は、分散剤で水性媒体中に分散させて得られた顔料分散液として、記録液に添加されるのが好ましい。
この分散剤としては、従来公知の顔料分散液を調整するのに用いられる公知の分散剤を使用することができ、高分子分散剤として、例えば、次のものが挙げられる。
親水性高分子物質として、天然系では、アラビアガム、トラガンガム、グーアガム、カラヤガム、ロー力ストビーンガム、アラビノガラクトン、ペクチン、クインスシードデンプン等の植物性高分子、アルギン酸、カラギーナン、寒天等の海藻系高分子、ゼラチン、カゼイン、アルブミン、コラーゲン等の動物系高分子、キサンテンガム、デキストラン等の微生物系高分子、半合成系では、メチルセルロース、エチルセルロース、ヒドロキシエチルセルロース、ヒドロキシプロピルセルロース、カルボキシメチルセルロース等の繊維素系高分子、デンプングリコール酸ナトリウム、デンプンリン酸エステルナトリウム等のデンプン系高分子、アルギン酸ナトリウム、アルギン酸ブロピレングリコールエステル等の海藻系高分子、純合成系では、ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸共重合体−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等を挙げることができる。
【００５７】
上記共重合体は、重量平均分子量が３，０００〜５０，０００であるのが好ましく、より好ましくは、５，０００〜３０，０００、さらにより好ましくは、７，０００〜１５，０００である。
この高分子分散剤の添加量は、顔料を安定に分散させ、本発明の他の効果を失わせない範囲で適宣、決定すればよい。
顔料と分散剤との比としては、重量比で１：０．０６〜１：３、好ましくは、１：０．１２５〜１：３である。
【００５８】
また、水溶性界面活性剤を顔料分散剤として使用することも可能である。
この場合、その使用量に対するインク粘度の上昇が、高分子分散剤を使用した場合よりも小さく、インクジェット記録法に用いたときに、良好な吐出特性の顔料インクを得やすいものとする。
【００５９】
顔料分散剤として使用する水溶性界面活性剤の具体例として、例えば、アニオン界面活性剤としては、アルキルアリル又はアルキルナフタレンスルホン酸塩、アルキルリン酸塩、アルキル硫酸塩、アルキルスルホン酸塩、アルキルエーテル硫酸塩、アルキルスルホコハク酸塩、アルキルエステル硫酸塩、アルキルベンゼンスルホン酸塩、アルキルジフェニルエーテルジスルホン酸塩、アルキルアリールエーテルリン酸塩、アルキルアリールエーテル硫酸塩、アルキルアリールエーテルエステル硫酸塩、オレフィンスルホン酸塩、アルカンオレフィンスルホン酸塩、ポリオキシエチレンアルキルエーテルリン酸塩、ポリオキシエチレンアルキルエーテル硫酸エステル塩、エーテルカルボキシレート、スルホコハク酸塩、α−スルホ脂肪酸エステル、脂肪酸塩、高級脂肪酸とアミノ酸の縮合物、ナフテン酸塩等が挙げられる。
【００６０】
カチオン界面活性剤としては、アルキルアミン塩、ジアルキルアミン塩、脂肪族アミン塩、ベンザルコニウム塩、第４級アンモニウム塩、アルキルピリジニウム塩、イミダゾリニウム塩、スルホニウム塩、ホスホニウム塩等が挙げられる。ノニオン系界面活性剤としては、ポリオキシエチレンアルキルエーテル、ポリオキシエチレンアルキルアリルエーテル、ポリオキシエチレンアルキルフェニルエーテル、ポリオキシエチレングリコールエステル、ポリオキシエチレン脂肪酸アミド、ポリオキシエチレン脂肪酸エステル、ポリオキシエチレンポリオキシプロピレングリコール、グリセリンエステル、ソルビタンエステル、ショ糖エステル、グリセリンエステルのポリオキシエチレンエーテル、ソルビタンエステルのポリオキシエチレンエーテル、ソルビトールエステルのポリオキシエチレンエーテル、脂肪酸アルカノールアミド、アミンオキシド、ポリオキシエチレンアルキルアミン、グリセリン脂肪酸エステル、ソルビタン脂肪酸エステル、ポリオキシエチレンソルビタン脂肪酸エステル、ポリオキシエチレンソルビトール脂肪酸エステル、アルキル（ポリ）グリコキシド等を挙げることができる。
【００６１】
両性界面活性剤としては、イミダゾリニウムベタイン等のイミダゾリン誘導体、ジメチルアルキルラウリルベタイン、アルキルグリシン、アルキルジ（アミノエチル）グリシン等が挙げられる。
分散剤としての界面活性剤の添加量は、顔料を安定に分散させ、本発明の他の効果を失わせない範囲で適宣、決定すればよい。
【００６２】
さらに、上記記録液中の分散剤は、カルボキシル基が結合していることが好ましい。
分散剤にカルボキシル基が結合していると、分散安定性が向上するばかりではなく、高品位な印字品質が得られると共に、印字後の記録媒体の耐水性がより向上する。
また、裏抜けを防止する効果が得られる。
特に、カルボキシル基が結合している分散剤で分散した顔料と、ポリオール（Ａ）、化合物（Ｂ）とを併用した場合において、普通紙等の比較的サイズ度の高い記録媒体に印字した場合においても、十分な乾燥速度が得られ、かつ裏抜けが少ないという効果が奏される。
これは、カルボン酸の解離定数が他の酸基に比較して小さいため、顔料が記録媒体に付着した後、記録液のｐＨ価の低下や記録媒体表面近傍に存在するカルシウム等の多価金属イオンとの相互作用などにより、分散剤自体の溶解度が低下し、分散剤自体や顔料が凝集するためと推定される。
【００６３】
また、本発明のより好ましい別の形態として、記録液中の顔料が表面改質され、カルボキシル基が直接顔料に結合されて水中に分散されている形態が挙げられる。
この場合、顔料が表面改質され、カルボキシル基が結合しているために、分散安定性が向上するばかりではなく、上記と同様な作用により高品位な印字品質が得られると共に、印字後の記録媒体の耐水性がより向上する。
さらに、この形態の記録液は、乾燥後の再分散性に優れるため、長期間印字を休止し、インクジェットヘッドのノズル付近の記録液の水分が蒸発した場合も、目詰まりを起こすことなく、簡単なクリーニング動作で容易に良好な印字が行うことができるようになるのである。
【００６４】
さらにまた、近年、急速に普及しつつある不可視記録液によるバーコード印刷、消印印刷への適用も可能である。
この場合、通常の染料や顔料の代えて、可視領域に吸収を持たず、赤外線や紫外線に吸収をもつ赤外線吸収剤又は紫外線吸収剤を記録液中に添加することにより、これが達成される。
【００６５】
本発明の記録液には、従来知られている他の添加剤を加えることができる。
例えば、樹脂エマルジョンを添加してもよい。
本発明に用いることのできる樹脂エマルジョンとは、連続相が水であり、分散相が次のような樹脂成分であるエマルジョンを意味する。
分散相の樹脂成分としては、アクリル系樹脂、酢酸ビニル系樹脂、スチレン−ブタジエン系樹脂、塩化ビニル系樹脂、アクリル−スチレン系樹脂、ブタジエン系樹脂、スチレン系樹脂等が挙げられる。
これら樹脂は、親水性部分と疎水性部分とを併せ持つ重合体であることが好ましい。
また、これらの樹脂成分の粒子径は、エマルジョンを形成するに足る径であれば特に制限はないが、１５０ｎｍ程度以下が好ましく、より好ましくは５〜１００ｎｍ程度である。
【００６６】
これらの樹脂エマルジョンは、樹脂粒子を、場合によって界面活性剤と共に水に混合することによって調製することができる。
市販の樹脂エマルジョンとしては、マイクロジェルＥ−１００２、Ｅ−５００２（スチレン−アクリル系樹脂エマルジョン、日本ペイント株式会社製）、ボンコート４００１（アクリル系樹脂エマルジョン、大日本インキ化学工業株式会社製）、ボンコート５４５４（スチレン−アクリル系樹脂エマルジョン、大日本インキ化学工業株式会社製）、ＳＡＥ−１０１４（スチレン−アクリル系樹脂エマルジョン、日本ゼオン株式会社製）、サイビノールＳＫ−２００（アクリル系樹脂エマルジョン、サイデン化学株式会社製）等がある。
本発明の記録液は、樹脂エマルジョンをその樹脂成分が重量基準で０．１〜４０％となるよう含有するのが好ましく、より好ましくは、１〜２５％である。
樹脂エマルジョンは、増粘・凝集する性質を持ち、着色成分の紙深さ方向への浸透を抑制し、さらに記録材への定着を促進する効果を有する。
また、樹脂エマルジョンの種類によっては、記録材上で皮膜を形成し、印刷物の耐擦性をも向上させる効果をも奏するものである。
【００６７】
さらに、記録液中の水分蒸発を抑制する等の目的で、糖類を含有させることができる。
糖類の例としては、単糖類、二糖類、オリゴ糖類（三糖類及び四糖類を含む）及び多糖類が挙げられ、好ましいものとして、グルコース、マンノース、フルクトース、リボース、キシロース、アラビノース、ガラクトース、マルトース、セロビオース、ラクトース、スクロース、トレハロース、マルトトリオース等が挙げられる。
ここに多糖類とは、広義の糖を意味し、α−シクロデキストリン、セルロース等、自然界に広く存在する物質を含むものである。
【００６８】
さらにまた、これらの糖類の誘導体として、上記の糖類の還元糖（例えば、糖アルコール〔一般式ＨＯＣＨ2（ＣＨＯＨ）nＣＨ2ＯＨ（ｎ＝２〜５の整数である〕、酸化糖（例えば、アルドン酸、ウロン酸等）、アミノ酸、チオ酸等が挙げられる。
特に糖アルコールが好ましく、具体例としては、マルチトール、ソルビット等を挙げることができる。
これら糖類の含有量は、記録液に対し、重量基準で０．１〜４０％、好ましくは、０．５〜３０％である。
【００６９】
その他、アルギン酸ナトリウムを含有させてもよい。
アルギン酸ナトリウムは、褐藻類にのみ含まれる物質で、主に細胞膜又は細胞間隙物質として存在する親水性高分子電解質である。
化学的には、β−１，４結合するＤ−Ｍａｎｎｕｒｏｎｉｃ  ａｃｉｄ〔Ｍ〕と、α−１，４結合するＬ−Ｇｕｌｕｒｏｎｉｃ  ａｃｉｄ〔Ｇ〕の重合体である。
増粘作用、安定化作用、分散作用、ゲル化作用、フィルム形成作用等の効果がある。
インクジェット記録液に添加すると、ｐＨによる粘度変化、塩類による析出、多価陽イオンとのゲル化により、単色の滲み（フェザリング）や異なる色間の滲み（カラーブリード）が改善できるのとなる。
【００７０】
本発明の記録液には、防腐防黴剤として、デヒドロ酢酸ナトリウム、ソルビン酸ナトリウム、２−ピリジンチオール−１−オキサイドナトリウム、安息香酸ナトリウム、ペンタクロロフェノールナトリウム等を添加することができる。
【００７１】
ｐＨ調整剤を用いることもでき、調製される記録液に悪影響をおよぼさずにｐＨを所望の値に調整できるものであれば、任意のｐＨ調整剤が使用される。
例えば、ジエタノールアミン、トリエタノールアミン等のアミン、水酸化リチウム、水酸化ナトリウム、水酸化カリウム等のアルカリ金属元素の水酸化物、水酸化アンモニウム、第４級アンモニウム水酸化物、第４級ホスホニウム水酸化物、炭酸リチウム、炭酸ナトリウム、炭酸カリウム等のアルカリ金属の炭酸塩等が挙げられる。
【００７２】
また、キレート試薬を用いることもでき、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウム等を挙げることができる。
防錆剤を使用してもよく、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト等が挙げられる。
この他、目的に応じて水溶性紫外線吸収剤を添加することもできる。
【００７３】
本発明の記録液は、その記録液を微細な吐出口より液滴として吐出、飛翔させ記録媒体にカラー画像を形成するインクジェット記録方法にとりわけ好適に用いられるが、水性ペン、水性マーカー、水性ボールペン等の一般の筆記用具や記録計、ペンプロッター用の記録液としても有用なものである。
本発明の記録液は、このような広範な用途に使用し得るが、上記のものに限定されるものではない。
【００７４】
本発明は、第２に、記録液を収容した記録液収容部を備えた記録液カートリッジであって、記録液として、第１の記録液を用いることを特徴とする記録液カートリッジを提供する。
この記録液カートリッジは、記録液を収容した記録液収容部と、記録液滴を吐出させるためのヘッド部を備えたた記録液カートリッジであってもよい。
この記録液カートリッジの詳細については、後記する。
【００７５】
本発明は、第３に、記録液を微細な吐出口より液滴として吐出、飛翔させることにより、記録媒体に画像を形成する方法であって、記録液として、第１の記録液を用いることを特徴とする記録方法を提供する。
【００７６】
このインクジェット記録方法に上記記録液を使用する場合、記録液粘度を所望の値に調節する必要がある。
ヘッドの吐出力に依存するものの、一般に記録液の粘度は、１０ｍＰａ・ｓ以下であることが好ましい。
１０ｍＰａ・ｓを越えると、十分な吐出が行えず、画像不良の問題が発生する場合があるので望ましくない。
本発明の記録方法においては、記録液に、記録信号に対応した熱エネルギーを与え、この熱エネルギーにより液滴を発生させ、記録媒体に画像を形成する方法が好ましい。
【００７７】
本発明の記録方法に用いる記録媒体は、パルプ繊維を主成分とし、サイズ度１０ｓ以上，透気度５〜５０ｓであることが好ましい。
このような記録媒体に対して、本発明の記録液により印字を行えば、記録媒体の両面にインクジェット記録方法により印字を行っても、裏面の画像により画像の認識を妨げられるようなことはない。
ここに、うサイズ度とは、紙のステキヒト・サイズ度試験方法ＪＩＳ  Ｐ８１２２−７６、透気度とは、紙及び板紙の透気度試験方法  ＪＩＳ  Ｐ８１１７−８０に基づくものを言う。
サイズ度が１０ｓ未満では、記録液が裏面まで浸透してしまい、裏抜けが発生し、透気度が５ｓ未満でも、記録液が裏面まで浸透してしまい裏抜けが発生することがあるので好ましくない。
透気度が５０ｓを越えるときは、印字品質や乾燥性に問題はないが、必要以上に填量を添加しているため、コストが高くなってしまうので好ましくない。
【００７８】
また、この記録媒体を電子写真方式の複写機やプリンターに使用した場合、感光体や定着ローラー等に填量が転写し画像品質の低下や故障の原因になるため、結局は、インクジェット専用の紙として使用しなくてはならず、消費者に使い分けを強いることとなり、負担が大きいものとなる。
上記の記録媒体により、電子写真用転写紙、印刷用紙、タイプライター用紙、ワイヤードットプリンター用紙、ワードプロセッサー用紙、レター用紙、レポート用紙等、種々のノンコートの普通紙と同様に扱うことができ、それに伴い、利用者が他の普通紙と分別する手間が省かれることになる。
さらに、生産上も基本的に現有の抄紙機で生産可能であり、設備投資を最小限に押さえることができ、他の記録方式の用途にも共通に使用することができる。
【００７９】
パルプ繊維の材料としては、インクジェットプロセスに影響のないものであれば、パルプの種類、処理方法は問わず、適宜に使用することができる。
また、非木材パルプ（ケナフ、亜麻、竹、海草等）や古紙パルプを用いてもよく、これを主体ととたものであってもよい。
好ましくは、ＬＢＫＰやＮＢＫＰに代表される化学パルプである。
これらパルプの抄紙は、一般の普通紙同様、公知のサイズ剤、填料、その他抄紙助剤を必要に応じて用い、常法により抄紙される。
【００８０】
サイズ剤としては、ロジンサイズ、ＡＫＤ、塩化ナトリウム、塩化カリウム、スチレン−マレイン酸コポリマー、第４級アンモニウム塩、アルニケル無水コハク酸、石油樹脂系サイズ、エピクロルヒドン、カチオン澱粉、アクリルアミド等が用いられる。
填料としては、クレー、炭酸カルシウム、タルク、二酸化チタン、合成シリカ等が挙げられる。
さらに、紙力増強剤、歩留まり向上剤、定着剤、染料、その他の抄紙助剤が添加される。
【００８１】
本発明者らは、本発明の記録方法において、記録ヘッドから吐出される１１滴あたりの吐出量Ｖ（ｐｌ）が、下記式（４）で示される関係を満足するようにして記録を行うことにより、「普通紙」に対する印字において、裏抜けが少なく、かつべた画像が埋まりよく白抜けのない良好な画像が得られることを見出した。
２．５×１０8／Ｒ2.6 ≦Ｖ≦６．０×１０8／Ｒ2.6        （４）
ここに、Ｒはパルプ繊維を主成分とし、サイズ度１０Ｓ以上、透気度５〜５０Ｓである記録媒体に対して記録を行うときの、液滴が打ち込まれる密度を単位長さに対する打ち込み数として表したものであり、単位はｄｐｉ（＝Dot Per Inch）を用いる。
シリアルタイプのインクジェットプリンターの場合、ヘッドの走査方向（主走査方向）と紙搬送方向（副走査方向）での打ち込み密度が異なる場合があるが、この場合は、単位面積あたりの打ち込み数を主走査方向と副走査方向とで均等になるように換算した値を用いるのが好ましい。
【００８２】
上記式（４）は、種々の記録液に対して検討してきた結果、実験的に得られた式であるが、上記式（４）の左側は、べた画像を普通紙上に形成したときに白筋等を発生せず、高い画像濃度を得るのに適した関係を示し、右側は、過剰な記録液を付着させることによる裏抜け濃度の増大やにじみの発生等を防ぐのに適した関係を示す。
いずれの関係も、本発明の記録液の普通紙に対する優れた浸透特性があって、はじめて成立する関係である。
【００８３】
本発明の記録液は、浸透性が高く、かつにじみのない高品質な画像が得られるため、通常では困難であった高速記録プロセスへの適用が可能である。
すなわち、記録媒体上で画素領域の少なくとも一部が重なるように、同一又は別個の吐出口より複数の記録液液滴を吐出、飛翔させ、記録媒体に画像を形成する記録方法において、記録媒体上で重なりを生じる二つの記録液液滴の吐出時間差を０．１２５ミリ秒以下とすることにより、著しい高速記録が可能になる。
近年、インクジェットプリンターに間する技術は目覚しい進歩をとげ、印字速度も向上しているものの、ある程度の高画質を維持するためには、隣接する位置関係にあるドットは連続で形成せず、一方が紙中に染み込むまで、もう一方のインク着弾させなかった。
すなわち、いわゆるマルチパス印字と呼ばれる方法により、印字速度を犠牲にしながら、高画質印字を達成していると言うことができる。
本発明の記録液は、きわめて高い浸透特性を示すため、従来では成し得なかったシングルパスでの高画質印字が可能となった。
【００８４】
本発明は、第４に、記録液を収容した記録液収容部を有する記録液カートリッジと、記録液滴を吐出させるための記録ヘッドとを備えたインクジェット記録装置又は記録液を収容した記録液収容部と、記録液滴を吐出させるための記録ヘッドとを有する記録液カートリッジを備えたインクジェット記録装置であって、第２の記録液カートリッジを備えたことを特徴とする記録装置を提供する。
【００８５】
本発明の記録液を収容した記録液カートリッジ及びこの記録液カートリッジを備えたインクジェット記録装置について、図面に基づき説明するが、以下は、１構成例に過ぎず、これらに限定されるものではない。
【００８６】
図１は、本発明の記録液を収容した記録液収容部を備えたインクカートリッジを搭載するシリアル型インクジェット記録装置の機構部の概略正面図である。
このインクジェット記録装置の機構部は、両側の側板１，２間に主支持ガイドロッド３及び従支持ガイドロッド４を略水平な位置関係で横架し、これらの主支持ガイドロッド３及び従支持ガイドロッド４でキャリッジユニット５を主走査方向に摺動自在に支持している。
キャリッジユニット５には、それぞれイエロー（Ｙ）インク、マゼンタ（Ｍ）インク、シアン（Ｃ）インク、ブラック（Ｂｋ）インクをそれぞれ吐出する４個のヘッド６を、その吐出面（ノズル面）６ａを下方に向けて搭載し、また、キャリッジユニット５のヘッド６の上側には４個のヘッド６に各々インクを供給するための各色のインク供給体である４個のインクカートリッジ７ｙ，７ｍ，７ｃ，７ｋを交換可能に搭載している。
【００８７】
そして、キャリッジユニット５は、主走査モータ８で回転される駆動プーリ（駆動タイミングプーリ）９と従動プーリ（アイドラプーリ）１０との間に張装したタイミングベルト１１に連結して、主走査モータ８を駆動制御することによってキャリッジ５、即ち４個のヘッド６を主走査方向に移動するようにしている。
また、側板１，２をつなぐ底板１２上にサブフレーム１３，１４を立設し、このサブフレーム１３，１４間に用紙１６を主走査方向と直交する副走査方向に送るための搬送ローラ１５を回転自在に保持している。
また、サブフレーム１４側方に副走査モータ１７を配設し、この副走査モータ１７の回転を搬送ローラ１５に伝達するために、副走査モータ１７の回転軸に固定したギヤ１８と搬送ローラ１５の軸に固定したギヤ１９とを備えている。
【００８８】
さらに、側板１とサブフレーム１２との間には、ヘッド６の信頼性維持回復機構（以下、「サブシステム」という。）２１を配置している。
サブシステム２１は、各ヘッド６の吐出面をキャッピングする４個のキャップ手段２２をホルダ２３で保持し、このホルダ２３をリンク部材２４で揺動可能に保持して、キャリッジユニット５の主走査方向の移動でホルダ２３に設けた係合部２５にキャリッジユニット５が当接することで、キャリッジユニット５の移動に従ってホルダ２３がリフトアップしてキャップ手段２２でインクジェットヘッッド６の吐出面６ａをキャッピングし、キャリッジユニット５が印写領域側へ移動することで、キャリッジユニット５の移動に従ってホルダ２３がリフトダウンしてキャップ手段２２がインクジェットヘッド６の吐出面６ａから離れるように構成されている。
【００８９】
なお、キャップ手段２２は、それぞれ吸引チューブ２６を介して吸引ポンプ２７に接続すると共に、大気開放口を形成して、大気開放チューブ及び大気開放バルブを介して大気に連通している。
また、吸引ポンプ２７は吸引した廃液を、ドレインチューブ等を介して図示しない廃液貯留槽に排出する。
さらに、ホルダ２３の側方には、インクジェットヘッド６の吐出面６ａをワイピングする繊維部材、発泡部材又はゴム等の弾性部材からなるワイピング手段であるワイパブレード２８をブレードアーム２９に取付け、このブレードアーム２９は揺動可能に軸支し、図示しない駆動手段で回動されるカムの回転によって揺動させるようにしている。
【００９０】
次に、記録液カートリッジ７について、図２、図３に基づき説明する。
図２は、記録装置に装填する前の記録液カートリッジの外観斜視図、図３は、記録液カートリッジの正断面図である。
記録液カートリッジ７は、図３に示すように、カートリッジ本体４１内に所要の色のインクを吸収させたインク吸収体４２を収容してなっている。
カートリッジ本体４１は、上部に広い開口を有するケース４３の上部開口に上蓋部材４４を接着又は溶着して形成したものであり、例えば樹脂成型品からなっている。
また、インク吸収体４２は、ウレタンフォーム体等の多孔質体からなり、カーートリッジ本体４１内に圧縮して挿入した後、インクを吸収させている。
カートリッジ本体４１のケース４３底部には、記録ヘッド６へインクを供給するためのインク供給口４５を形成し、このインク供給口４５内周面にはシールリング４６を嵌着している。
また、上蓋部材４４には、大気開放口４７を形成している。
【００９１】
そして、カートリッジ本体４１には、装填前の状態で、インク供給口４５を塞ぐとと共に、装填時や輸送時等のカートリッジ取扱い時又は真空包装時による幅広側壁に係る圧力でケース４３が圧縮変形されて内部のインクが漏洩することを防止するため、キャップ部材５０を装着している。
【００９２】
また、大気開放口４７は、図２に示すように、酸素透過率が１００ｍｌ／ｍ2以上のフィルム状シール部材５５を上蓋部材４４に貼着してシールしている。
このシール部材５５は、大気開放口４７と共にその周囲に形成した複数本の溝４８をもシールする大きさにしている。
このように、大気開放口４７を酸素透過率が１００ｍｌ／ｍ2以上のシール部材５５でシールすることで、インクカートリッジ７を透気性のないアルミラミネートフィルム等の包装部材を用いて減圧状態で包装することにより、インク充填時やインク吸収体４２とカートリッジ本体４１との間に生じる空間Ａ（図３参照）にある大気のためにインク中に気体が溶存したときでも、シール部材５５を介してインク中の空気が真空度の高いカートリッジ本体４１外の包装部材との間の空間に排出され、インクの脱気度が向上する。
【００９３】
図４には、本発明の記録液を収容した記録液収容部と、記録液滴を吐出させるためのヘッド部を備えた記録液カートリッジの構成例を示す。
すなわち、記録ユニット３０は、シリアルタイプのものであり、インクジェットヘッド６と、このインクジェットヘッド６に供給される記録液を収容するインクタンク４１と、このインクタンク４１内を密閉する蓋部材とで主要部が構成されている。
インクジェットヘッド６には、記録液を吐出するための多数のノズル３２が形成されている。
記録液はインクタンク４１から、図示しないインク供給管を介して、同じく図示しない共通液室へと導かれ、電極３１より入力される記録装置本体からの電気信号に応じて、ノズル３２より吐出される。
このようなタイプの記録ユニットは、構成上、安価に製造できるタイプのヘッッド、いわゆるサーマル方式、バブル方式と呼ばれる、熱エネルギーを駆動の動力源とするヘッドに適した構造である。
本発明の記録液は、バブルやサーマル方式等の記録方法において、ポリオール（Ａ）を添加することによって、熱素子への濡れ性が改良されるため、少量の添加量であっても、吐出安定性及び周波数安定性が得られ、かつ安全性も高く、きわめて好適なものとなる。
【００９４】
ここでは、上記のようなシリアル型インクジェット記録装置を説明したが、本発明の記録液は、ノズルを千鳥等、任意の配列で、目的とする画像の解像度と同一又は数分の１程度の密度に集積し、記録媒体の幅以上に配列させた、いわゆるラインヘッドを有する記録装置に適用することも可能である。
また、ここでいう記録装置とは、ＰＣやデジカメ用の出力プリンタのみならず、ファックスやスキャナ、電話な等と組み合わせた複合的な機能を有する装置であってもよい。
【００９５】
本発明は、第５に、第１の記録液を用いて記録する記録媒体であって、パルプ繊維を主成分とし、サイズ度が１０Ｓ以上で、かつ透湿度が５〜５０Ｓであることを特徴とする記録媒体及び第３の記録方法又は第４の記録装置に用いられる記録媒体であって、パルプ維を主成分とし、サイズ度が１０Ｓ以上で、かつ透湿度が５〜５０Ｓであることを特徴とする記録媒体を提供する。
パルプ、サイズ度及び透湿度については、上記第３の記録方法において説明したとおりであり、抄紙方法、サイズ剤、填料、抄紙助剤等についても、上記と同様である。
【００９６】
【実施例】
以下に、実施例を挙げて本発明をさらに詳しく説明するが、これら実施例によって本発明はなんら限定されるものではない。
なお、「％」とあるのは重量基準である。
【００９７】
参考例１
下記処方の組成物を混合攪拌した後、ｐＨが８になるように水酸化リチウム１０％水溶液により調整した。次いで、平均孔径０．１μｍのメンブレンフィルターで濾過し、記録液（インク１）を得た。
〔インク１〕
Ｃ．Ｉ．ダイレクトブラック１６８                                    ４％
グリセリン                                                          ５％
エチレングリコール                                                  ５％
化合物（１）−４                                                ０．３％
２−エチル−１，３−ヘキサンジオール                                １％
イオン交換水                                                        残量
【００９８】
参考例２
下記処方の組成物を用い、水酸化ナトリウムによりｐＨを７．５とした以外は、参考例１と同様にして記録液（インク２）を得た。
〔インク２〕
Ｃ．Ｉ．ダイレクトイエロー１４２                                ３．０％
チオジグリコール                                                    ８％
化合物（１）−５                                                ０．５％
２，２，４−トリメチル−１，３−ペンタンジオール                    ３％
イオン交換水                                                        残量
【００９９】
参考例３
下記処方の組成物を用い、ｐＨを８とした以外は、参考例１と同様にして記録液（インク３）を得た。
〔インク３〕
Ｃ．Ｉ．ダイレクトレッド２２７                                      ３％
チオジグリコール                                                    ８％
化合物（１）−６                                                ０．５％
２−エチル−１，３−ヘキサンジオール                                ２％
イオン交換水                                                        残量
【０１００】
参考例４
下記処方の組成物を用い、ｐＨを９とした以外は、参考例１と同様にして記録液（インク４）を得た。
〔インク４〕
Ｃ．Ｉ．ダイレクトブルー１９９                                      ３％
チオジグリコール                                                    ８％
化合物（１）−５                                                ０．５％
２，２，４−トリメチル−１，３−ペンタンジオール                    ３％
イオン交換水                                                        残量
【０１０１】
実施例１
先ず、カーボンブラックを下記顔料分散液１処方にてビーズミルを用いて分散した。得られた顔料分散液１を、下記処方にて混合攪拌した後、ｐＨが８になるように水酸化リチウム１０％水溶液により調整した。次いで、平均孔径０．８μｍのメンブレンフィルターで濾過し、記録液（インク５）を得た。
〔顔料分散液１〕
カーボンブラック（平均粒径１０４ｎｍ）                            １５％
スチレン−アクリレート−メタクリル酸
ジエタノールアミン塩共重合体                                    ３％
イオン交換水                                                      残量
〔インク５〕
顔料分散液１                                                  ３３．３％
ジエチレングリコール                                            ６．５％
グリセリン                                                      ３．５％
化合物（１）−１                                                ０．３％
化合物（１）−３                                                ０．１％
２−エチル−１，３−ヘキサンジオール                                ２％
２−ピロリドン                                                      ２％
イオン交換水                                                        残量
【０１０２】
実施例２
下記処方の組成物を用いた以外は、実施例１と同様にして、顔料分散液２を調製し、この顔料分散液２を用いて記録液（インク６）を得た。
〔顔料分散液２〕
カーボンブラック（平均粒径１０４ｎｍ）                            １５％
スチレン−アクリレート−メタクリル酸
ジエタノールアミン塩共重合体                                    ３％
イオン交換水                                                      残量
〔インク６〕
顔料分散液２                                                  ３３．３％
エチレングリコール                                              ６．５％
Ｎ−メチル−２−ピロリドン                                      ３．５％
化合物（１）−１                                                ０．３％
２，２，４−トリメチル−１，３−ペンタンジオール                    ３％
２−ピロリドン                                                      ２％
フッ素化アルキルエステル；ノニオン界面活性剤                    ０．３％
イオン交換水                                                        残量
【０１０３】
参考例５
下記処方の組成物を用いた以外は、実施例１と同様にして、顔料分散液３を調製し、この顔料分散液３を用いて記録液（インク７）を得た。
〔顔料分散液３〕
カーボンブラック（平均粒径９９ｎｍ）                              １５％
ナフタレンスルホン酸塩のホルマリン縮合物                            ３％
イオン交換水                                                        残量
〔インク７〕
顔料分散液３                                                  ３３．３％
ポリエチレングリコール（分子量２００）                            １５％
化合物（１）−３                                              ０．０５％
２−エチル−１，３−ヘキサンジオール                                ５％
フッ素化アルキルエステル；ノニオン界面活性剤                    ０．３％
イオン交換水                                                        残量
【０１０４】
実施例３
下記処方の組成物を用いた以外は、実施例１と同様にして、顔料分散液４を調製し、この顔料分散液４を用い記録液（インク８）を得た。
〔顔料分散液４〕
Ｃ．Ｉ．ピグメントイエロー１３（平均粒径１１７ｎｍ）              １５％
スチレン−アクリレート−メタクリル酸
ジエタノールアミン塩共重合体                                    ３％
イオン交換水                                                        残量
〔インク８〕
顔料分散液４                                                  ３３．３％
グリセリン                                                          ５％
ジエチレングリコール                                              １０％
化合物（１）−２                                                ０．３％
２，２，４−トリメチル−１，３−ペンタンジオール                    ３％
２−ピロリドン                                                      ２％
イオン交換水                                                        残量
【０１０５】
参考例６
下記処方の組成物を用いた以外は、実施例１と同様にして、顔料分散液５を調製し、この顔料分散液５を用い記録液（インク９）を得た。
〔顔料分散液５〕
Ｃ．Ｉ．ピグメントイエロー７４（平均粒径９６ｎｍ）                １５％
ナフタレンスルホン酸塩のホルマリン縮合物                            ３％
イオン交換水                                                      残量
〔インク９〕
顔料分散液５                                                  ３３．３％
ポリエチレングリコール（分子量２００）                            １０％
化合物（１）−７                                              ０．０５％
２−エチル−１，３−ヘキサンジオール                                ５％
イオン交換水                                                        残量
【０１０６】
実施例４
下記処方の組成物を用いた以外は、実施例１と同様にして、顔料分散液６を調製し、この顔料分散液６を用い記録液（インク１０）を得た。
〔顔料分散液６〕
Ｃ．Ｉ．ピグメントレッド１２２（平均粒径１２０ｎｍ）              １５％
スチレン−アクリレート−メタクリル酸
ジエタノールアミン塩共重合体                                    ３％
イオン交換水                                                        残量
〔インク１０〕
顔料分散液６                                                  ３３．３％
グリセリン                                                          ５％
エチレングリコール                                                １０％
化合物（１）−１                                                ０．３％
２−エチル−１，３−ヘキサンジオール                                ２％
２−ピロリドン                                                      ２％
イオン交換水                                                        残量
【０１０７】
参考例７
下記処方の組成物を用いた以外は、実施例１と同様にして、顔料分散液７を調製し、この顔料分散液７を用い記録液（インク１１）を得た。
〔顔料分散液７〕
Ｃ．Ｉ．ピグメントレッド５７：１（平均粒径１１５ｎｍ）            １５％
ナフタレンスルホン酸塩のホルマリン縮合物                            ３％
イオン交換水                                                        残量
〔インク１１〕
顔料分散液７                                                  ３３．３％
ポリエチレングリコール（分子量２００）                            １０％
化合物（１）−２                                              ０．０５％
２，２，４−トリメチル−１，３−ペンタンジオール                    １％
２−エチル−１，３−ヘキサンジオール                                １％
２−ピロリドン                                                      ２％
イオン交換水                                                        残量
【０１０８】
実施例５
下記処方の組成物を用いた以外は、実施例１と同様にして、顔料分散液８を調製し、この顔料分散液８を用い記録液（インク１２）を得た。
〔顔料分散液８〕
Ｃ．Ｉ．ピグメントブルー１５：３（平均粒径１２３ｎｍ）            １５％
スチレン−アクリレート−メタクリル酸
ジエタノールアミン塩共重合体                                    ３％
イオン交換水                                                        残量
〔インク１２〕
顔料分散液８                                                  ３３．３％
グリセリン                                                          ３％
１，５−ペンタンジオール                                          １５％
化合物（１）−４                                                ０．３％
２，２，４−トリメチル−１，３−ペンタンジオール                    ５％
２−ピロリドン                                                      ２％
イオン交換水                                                        残量
【０１０９】
参考例８
下記処方の組成物を用いた以外は、実施例１と同様にして、顔料分散液９を調製し、この顔料分散液９を用い記録液（インク１３）を得た。
〔顔料分散液９〕
Ｃ．Ｉ．ピグメントブルー５６（平均粒径１３８ｎｍ）                １５％
ナフタレンスルホン酸塩のホルマリン縮合物                            ３％
イオン交換水                                                        残量
〔インク１３〕
顔料分散液９                                                  ３３．３％
ポリエチレングリコール（分子量２００）                            １０％
化合物（１）−５                                              ０．０５％
２−エチル−１，３−ヘキサンジオール                                ４％
トリエチレングリコールモノブチルエーテル                            ２％
イオン交換水                                                        残量
【０１１０】
実施例６
下記処方の組成物を用いた以外は、参考例１と同様にして、記録液（インク１４）を得た。
〔インク１４〕
カルボキシル基結合型カーボンブラック分散液                    ３３．３％
（固形分１６．４重量％、平均粒径１２８ｎｍ）
ジエチレングリコール                                              １５％
グリセリン                                                          ５％
化合物（１）−１                                                    ２％
２−エチル−１，３−ヘキサンジオール                                ２％
Ｎ−メチル−２−ピロリドン                                          ２％
イオン交換水                                                        残量
【０１１１】
実施例７
下記処方の組成物を用いた以外は、参考例１と同様にして、記録液（インク１５）を得た。
〔インク１５〕
カルボキシル基結合型カーボンブラック分散液                    ３３．３％
（固形分１６．４重量％、平均粒径１２８ｎｍ）
エチレングリコール                                                １５％
化合物（１）−１                                                    １％
２，２，４−トリメチル−１，３−ペンタンジオール                    ３％
Ｎ−メチル−２−ピロリドン                                          ２％
イオン交換水                                                        残量
【０１１２】
参考例９
下記処方の組成物を用いた以外は、参考例１と同様にして、記録液（インク１６）を得た。
〔インク１６〕
スルホン酸基結合型カーボンブラック分散液                          ３３％
（固形分１８重量％、平均粒径１３２ｎｍ）
１，５−ペンタンジオール                                            ５％
Ｎ−メチル−２−ピロリドン                                          ２％
化合物（１）−６                                                    １％
２−エチル−１，３−ヘキサンジオール                                １％
イオン交換水                                                        残量
【０１１３】
参考例１０
下記処方の組成物を用いた以外は、参考例１と同様にして、記録液（インク１７）を得た。
〔インク１７〕
スルホン酸基結合型カーボンブラック分散液                          ３３％
（固形分１８重量％、平均粒径１３２ｎｍ）
１，５−ペンタンジオール                                            ５％
Ｎ−メチル−２−ピロリドン                                          ２％
化合物（１）−１                                                    １％
２，２，４−トリメチル−１，３−ペンタンジオール                １．５％
イオン交換水                                                        残量
【０１１４】
実施例８
下記処方の組成物を用いた以外は、実施例１と同様にして、顔料分散液１０を調製し、この顔料分散液１０を用いて記録液（インク１８）を得た。
〔顔料分散液１０〕
カーボンブラック（平均粒径５３ｎｍ）                              １５％
スチレン−アクリレート−メタクリル酸
ジエタノールアミン塩共重合体                                    ３％
イオン交換水                                                        残量
〔インク１８〕
顔料分散液１０                                                ３３．３％
ポリエチレングリコール（分子量２００）                              ５％
エチレングリコール                                                ３０％
化合物（１）−５                                              ０．０１％
２−エチル−１，３−ヘキサンジオール                              １０％
イオン交換水                                                        残量
【０１１５】
実施例９
下記処方の組成物を用いた以外は、実施例１と同様にして、顔料分散液１１を調製し、この顔料分散液１１を用いて記録液（インク１９）を得た。
〔顔料分散液１１〕
カーボンブラック（平均粒径１９６ｎｍ）                            １５％
スチレン−アクリレート−メタクリル酸
ジエタノールアミン塩共重合体                                    ３％
イオン交換水                                                        残量
〔インク１９〕
顔料分散液１１                                                ３３．３％
１，５−ペンタンジオール                                            ５％
Ｎ−メチル−２−ピロリドン                                      ６．５％
化合物（１）−３                                                  １０％
２，２，４−トリメチル−１，３−ペンタンジオール                    ５％
イオン交換水                                                        残量
【０１１６】
参考例１１
下記処方の組成物を用い、水酸化ナトリウムによりｐＨを８とした以外は、参考例１と同様にして、記録液（インク２０）を得た。
〔インク２０〕
Ｃ．Ｉ．ダイレクトブラック１６８                                    ４％
グリセリン                                                          ５％
エチレングリコール                                                  ５％
化合物（２）−４                                                ０．３％
２−エチル−１，３−ヘキサンジオール                                １％
イオン交換水                                                        残量
【０１１７】
参考例１２
下記処方の組成物を用い、水酸化ナトリウムによりｐＨを７．５とした以外は、参考例１と同様にして、記録液（インク２１）を得た。
〔インク２１〕
Ｃ．Ｉ．ダイレクトイエロー１４２                                ３．０％
チオジグリコール                                                    ８％
化合物（２）−１                                                ０．５％
２，２，４−トリメチル−１，３−ペンタンジオール                    ３％
イオン交換水                                                        残量
【０１１８】
参考例１３
下記処方の組成物を用い、水酸化リチウムによりｐＨを８とした以外は、参考例１と同様にして、記録液（インク２２）を得た。
〔インク２２〕
Ｃ．Ｉ．ダイレクトレッド２２７                                      ３％
チオジグリコール                                                    ８％
化合物（２）−５                                                ０．５％
２−エチル−１，３−ヘキサンジオール                                ２％
イオン交換水                                                        残量
【０１１９】
参考例１４
下記処方の組成物を用い、水酸化リチウムによりｐＨを９とした以外は、参考例１と同様にして、記録液（インク２３）を得た。
〔インク２３〕
Ｃ．Ｉ．ダイレクトブルー１９９                                      ３％
チオジグリコール                                                    ８％
化合物（２）−３                                                ０．５％
２，２，４−トリメチル−１，３−ペンタンジオール                    ３％
イオン交換水                                                        残量
【０１２０】
実施例１０
下記処方の組成物を用いた以外は、実施例１と同様にして、顔料分散液１２を調製し、この顔料分散液１２を用いて記録液（インク２４）を得た。
〔顔料分散液１２〕
カーボンブラック（平均粒径１０４ｎｍ）                            １５％
スチレン−アクリレート−メタクリル酸
ジエタノールアミン塩共重合体                                    ３％
イオン交換水                                                        残量
〔インク２４〕
顔料分散液１２                                                ３３．３％
ジエチレングリコール                                            ６．５％
グリセリン                                                      ３．５％
化合物（２）−１                                                ０．３％
化合物（２）−４                                                ０．１％
２−エチル−１，３−ヘキサンジオール                                ２重
２−ピロリドン                                                      ２％
イオン交換水                                                        残量
【０１２１】
実施例１１
下記処方の組成物を用いた以外は、実施例１と同様にして、顔料分散液１３を調製し、この顔料分散液１３を用いて記録液（インク２５）を得た。
〔顔料分散液１３〕
カーボンブラック（平均粒径１０４ｎｍ）                            １５％
スチレン−アクリレート−メタクリル酸
ジエタノールアミン塩共重合体                                    ３％
イオン交換水                                                        残量
〔インク２５〕
顔料分散液１３                                                ３３．３％
エチレングリコール                                              ６．５％
Ｎ−メチル−２−ピロリドン                                      ３．５％
化合物（２）−３                                                ０．３％
２，２，４−トリメチル−１，３−ペンタンジオール                    ３％
２−ピロリドン                                                      ２％
フッ素化アルキルエステル；ノニオン界面活性剤                    ０．３％
イオン交換水                                                        残量
【０１２２】
参考例１５
下記処方の組成物を用いた以外は、実施例１と同様にして、顔料分散液１４を調製し、この顔料分散液１４を用いて記録液（インク２６）を得た。
〔顔料分散液１４〕
カーボンブラック（平均粒径９９ｎｍ）                              １５％
ナフタレンスルホン酸塩のホルマリン縮合物                            ３％
イオン交換水                                                        残量
〔インク２６〕
顔料分散液１４                                                ３３．３％
ポリエチレングリコール（分子量２００）                            １５％
化合物（２）−１                                              ０．０５％
２−エチル−１，３−ヘキサンジオール                                ５％
フッ素化アルキルエステル；ノニオン界面活性剤                    ０．３％
イオン交換水                                                        残量
【０１２３】
実施例１２
下記処方の組成物を用いた以外は、実施例１と同様にして、顔料分散液１５を調製し、この顔料分散液１５を用いて記録液（インク２７）を得た。
〔顔料分散液１５〕
Ｃ．Ｉ．ピグメントイエロー１３（平均粒径１１７ｎｍ）              １５％
スチレン−アクリレート−メタクリル酸
ジエタノールアミン塩共重合体                                    ３％
イオン交換水                                                        残量
〔インク２７〕
顔料分散液１５                                                ３３．３％
グリセリン                                                          ５％
ジエチレングリコール                                              １０％
化合物（２）−５                                                ０．３％
２，２，４−トリメチル−１，３−ペンタンジオール                    ３％
２−ピロリドン                                                      ２％
イオン交換水                                                        残量
【０１２４】
参考例１６
下記処方の組成物を用いた以外は、実施例１と同様にして、顔料分散液１６を調製し、この顔料分散液１６を用いて記録液（インク２８）を得た。
〔顔料分散液１６〕
Ｃ．Ｉ．ピグメントイエロー７４（平均粒径９６ｎｍ）                １５％
ナフタレンスルホン酸塩のホルマリン縮合物                            ３％
イオン交換水                                                        残量
〔インク２８〕
顔料分散液１６                                                ３３．３％
ポリエチレングリコール（分子量２００）                            １０％
化合物（２）−４                                              ０．０５％
２−エチル−１，３−ヘキサンジオール                                ５％
イオン交換水                                                        残量
【０１２５】
実施例１３
下記処方の組成物を用いた以外は、実施例１と同様にして、顔料分散液１７を調製し、この顔料分散液１７を用いて記録液（インク２９）を得た。
〔顔料分散液１７〕
Ｃ．Ｉ．ピグメントレッド１２２（平均粒径１２０ｎｍ）              １５％
スチレン−アクリレート−メタクリル酸
ジエタノールアミン塩共重合体                                    ３％
イオン交換水                                                        残量
〔インク２９〕
顔料分散液１７                                                ３３．３％
グリセリン                                                          ５％
エチレングリコール                                                １０％
化合物（２）−２                                                ０．３％
２−エチル−１，３−ヘキサンジオール                                ２％
２−ピロリドン                                                      ２％
イオン交換水                                                        残量
【０１２６】
参考例１７
下記処方の組成物を用いた以外は、実施例１と同様にして、顔料分散液１８を調製し、この顔料分散液１８を用いて記録液（インク３０）を得た。
〔顔料分散液１８〕
Ｃ．Ｉ．ピグメントレッド５７：１（平均粒径１１５ｎｍ）            １５％
ナフタレンスルホン酸塩のホルマリン縮合物                            ３％
イオン交換水                                                        残量
〔インク３０〕
顔料分散液１８                                                ３３．３％
ポリエチレングリコール（分子量２００）                            １０％
化合物（２）−５                                              ０．０５％
２，２，４−トリメチル−１，３−ペンタンジオール                    １％
２−エチル−１，３−ヘキサンジオール                                １％
２−ピロリドン                                                      ２％
イオン交換水                                                        残量
【０１２７】
実施例１４
下記処方の組成物を用いた以外は、実施例１と同様にして、顔料分散液１９を調製し、この顔料分散液１９を用いて記録液（インク３１）を得た。
〔顔料分散液１９〕
Ｃ．Ｉ．ピグメントブルー１５：３（平均粒径１２３ｎｍ）            １５％
スチレン−アクリレート−メタクリル酸
ジエタノールアミン塩共重合体                                    ３％
イオン交換水                                                        残量
〔インク３１〕
顔料分散液１９                                                ３３．３％
グリセリン                                                          ３％
１，５−ペンタンジオール                                          １５％
化合物（２）−５                                                ０．３％
２，２，４−トリメチル−１，３−ペンタンジオール                    ５％
２−ピロリドン                                                      ２％
イオン交換水                                                        残量
【０１２８】
参考例１８
下記処方の組成物を用いた以外は、実施例１と同様にして、顔料分散液２０を調製し、この顔料分散液２０を用いて記録液（インク３２）を得た。
〔顔料分散液２０〕
Ｃ．Ｉ．ピグメントブルー５６（平均粒径１３８ｎｍ）                １５％
ナフタレンスルホン酸塩のホルマリン縮合物                            ３％
イオン交換水                                                        残量
〔インク３２〕
顔料分散液２０                                                ３３．３％
ポリエチレングリコール（分子量２００）                            １０％
化合物（２）−４                                              ０．０５％
２−エチル−１，３−ヘキサンジオール                                ４％
トリエチレングリコールモノブチルエーテル                            ２％
イオン交換水                                                        残量
【０１２９】
実施例１５
下記処方の組成物を用いた以外は、参考例１と同様にして、記録液（インク３３）を得た。
〔インク３３〕
カルボキシル基結合型カーボンブラック分散液                    ３３．３％
（固形分１６．４重量％、平均粒径１２８ｎｍ）
ジエチレングリコール                                              １５％
グリセリン                                                          ５％
化合物（２）−１                                                    ２％
２−エチル−１，３−ヘキサンジオール                                ２％
Ｎ−メチル−２−ピロリドン                                          ２％
イオン交換水                                                        残量
【０１３０】
実施例１６
下記処方の組成物を用いた以外は、参考例１と同様にして、記録液（インク３４）を得た。
〔インク３４〕
カルボキシル基結合型カーボンブラック分散液                    ３３．３％
（固形分１６．４重量％、平均粒径１２８ｎｍ）
エチレングリコール                                                １５％
化合物（２）−１                                                    １％
２，２，４−トリメチル−１，３−ペンタンジオール                    ３％
Ｎ−メチル−２−ピロリドン                                          ２％
イオン交換水                                                        残量
【０１３１】
参考例１９
下記処方の組成物を用いた以外は、参考例１と同様にして、記録液（インク３５）を得た。
〔インク３５〕
スルホン酸基結合型カーボンブラック分散液                          ３３％
（固形分１８重量％、平均粒径１３２ｎｍ）
１，５−ペンタンジオール                                            ５％
Ｎ−メチル−２−ピロリドン                                          ２％
化合物（２）−３                                                    １％
２−エチル−１，３−ヘキサンジオール                                １％
イオン交換水                                                        残量
【０１３２】
参考例２０
下記処方の組成物を用いた以外は、参考例１と同様にして、記録液（インク３６）を得た。
〔インク３６〕
スルホン酸基結合型カーボンブラック分散液                          ３３％
（固形分１８重量％、平均粒径１３２ｎｍ）
１，５−ペンタンジオール                                            ５％
Ｎ−メチル−２−ピロリドン                                          ２％
化合物（２）−２                                                    １％
２，２，４−トリメチル−１，３−ペンタンジオール                １．５％
イオン交換水                                                        残量
【０１３３】
実施例１７
下記処方の組成物を用いた以外は、実施例１と同様にして、顔料分散液２１を調製し、この顔料分散液２１を用いて記録液（インク３７）を得た。
〔顔料分散液２１〕
カーボンブラック（平均粒径５３ｎｍ）                              １５％
スチレン−アクリレート−メタクリル酸
ジエタノールアミン塩共重合体                                    ３％
イオン交換水                                                        残量
〔インク３７〕
顔料分散液２１                                                ３３．３％
ポリエチレングリコール（分子量２００）                              ５％
エチレングリコール                                                ３０％
化合物（２）−５                                              ０．０１％
２−エチル−１，３−ヘキサンジオール                              １０％
イオン交換水                                                        残量
【０１３４】
実施例１８
下記処方の組成物を用いた以外は、実施例１と同様にして、顔料分散液２２を調製し、この顔料分散液２２を用いて記録液（インク３８）を得た。
〔顔料分散液２２〕
カーボンブラック（平均粒径１９６ｎｍ）                            １５％
スチレン−アクリレート−メタクリル酸
ジエタノールアミン塩共重合体                                    ３％
イオン交換水                                                        残量
〔インク３８〕
顔料分散液２２                                                ３３．３％
１，５−ペンタンジオール                                            ５％
Ｎ−メチル−２−ピロリドン                                      ６．５％
化合物（２）−３                                                  １０％
２，２，４−トリメチル−１，３−ペンタンジオール                    ５％
イオン交換水                                                        残量
【０１３５】
比較例１
２−エチル−１，３−ヘキサンジオールに代えて、同量のイオン交換水を含有させた以外は、実施例１と同様にして、記録液（インク３９）を得た。
【０１３６】
比較例２
２，２，４−トリメチル−１，３−ペンタンジオールに代えて、同量のイオン交換水を含有させた以外は、実施例１１と同様にして、記録液（イン４０）を得た。
【０１３７】
比較例３
２−エチル−１，３−ヘキサンジオールに代えて、化合物（１）−１が２重量％となるようにさらに添加し、残りをイオン交換水とした以外は、実施例１と同様にして、記録液（インク４１）を得た。
【０１３８】
比較例４
２，２，４−トリメチル−１，３−ペンタンジオールに代えて、同量のジエチレングリコールモノブチルエーテルを含有させた以外は、実施例２と同様にして、記録液（インク４２）を得た。
【０１３９】
比較例５
２−エチル−１，３−ヘキサンジオールに代えて、同量のジエチレングリコールモノブチルエーテルを含有させた以外は、実施例４と同様にして、記録液（インク４３）を得た。
【０１４０】
比較例６
２−エチル−１，３−ヘキサンジオールに代えて、１０重量％のジエチレングリコールモノブチルエーテルを含有させた以外は、実施例６と同様にして、記録液（インク４４）を得た。
【０１４１】
比較例７
２−エチル−１，３−ヘキサンジオールに代えて、同量の２−エチル−２−メチル−１，３−プロパンジオールを含有させた以外は、実施例１０と同様にして、記録液（インク４５）を得た。
【０１４２】
比較例８
２，２，４−トリメチル−１，３−ペンタンジオールに代えて、同量の２，２−ジエチル−１，３−プロパンジオールを含有させた以外は、実施例５と同様にして、記録液（インク４６）を得た。
【０１４３】
比較例９
２−エチル−１，３−ヘキサンジオールに代えて、同量の３，３−ジメチル−１，２−ブタンジオールを含有させた以外は、参考例５と同様にして、記録液（インク４７）を得た。
【０１４４】
比較例１０
２，２，４−トリメチル−１，３−ペンタンジオールに代えて、同量の２，４−ジメチル−２，４−ペンタンジオールを含有させた以外は、参考例１４と同様にして、記録液（インク４８）を得た。
【０１４５】
比較例１１
２，２，４−トリメチル−１，３−ペンタンジオールに代えて、同量の２，５−ジメチル−２，５−ヘキサンジオールを含有させた以外は、参考例１２と同様にして、記録液（インク４９）を得た。
【０１４６】
比較例１２
２，２，４−トリメチル−１，３−ペンタンジオールに代えて、それらの総量と同量の２−メチル−２−プロピル−１，３−プロパンジオールを含有させた以外は、実施例１４と同様にして、記録液（インク５０）を得た。
【０１４７】
比較例１３
２−エチル−１，３−ヘキサンジオールと化合物（２）−５に代えて、それらの総量と同量の１，７−ヘプタンジオールを含有させた以外は、実施例１５と同様にして、記録液（インク５１）を得た。
【０１４８】
比較例１４
２−エチル−１，３−ヘキサンジオールに代えて、それらの総量と同量の２，６−ヘプタンジオールを含有させた以外は、実施例１７と同様にして、記録液（インク５２）を得た。
【０１４９】
比較例１５
２，２，４−トリメチル−１，３−ペンタンジオールに代えて、同量の３，３−ジメチル−１，５−ペンタンジオールを含有させた以外は、参考例２と同様にして、記録液（インク５３）を得た。
【０１５０】
比較例１６
２，２，４−トリメチル−１，３−ペンタンジオールに代えて、同量の３−エチル−１，３−ペンタンジオールを含有指せた以外は、実施例３と同様にして、記録液（インク５４）を得た。
【０１５１】
比較例１７
２，２，４−トリメチル−１，３−ペンタンジオールに代えて、同量の２，４−ジメチル−１，５−ペンタンジオールを含有させた以外は、参考例１０と同様にして、記録液（インク５５）を得た。
【０１５２】
比較例１８
２，２，４−トリメチル−１，３−ペンタンジオールに代えて、同量の１，６−ヘプタンジオールを含有させた以外は、参考例１２と同様にして、記録液（インク５６）を得た。
【０１５３】
比較例１９
２−エチル−１，３−ヘキサンジオールに代えて、同量の２，７−オクタンジオールを含有させた以外は、参考例２と同様にして、記録液（インク５７）を得た。
【０１５４】
比較例２０
２−エチル−１，３−ヘキサンジオールと２，２，４−トリメチル−１，３−ペンタンジオールに代えて、それらの総量と同量の１，９−ノナンジオールを含有させた以外は、参考例１７と同様にして、記録液（インク５８）を得た。
【０１５５】
比較例２１
２−エチル−１，３−ヘキサンジオールに代えて、同量の１，１，３，３−テトラメチル−１，３−プロパンジオールを含有させた以外は、参考例６と同様にして、記録液（インク５９）を得た。
【０１５６】
比較例２２
２−エチル−１，３−ヘキサンジオールに代えて、同量の１，１０−デカンジオールを含有させた以外は、参考例１と同様にして、記録液（インク６０）を得た。
【０１５７】
比較例２３
２−エチル−１，３−ヘキサンジオールに代えて、同量の３，８−デカンジオールを含有させた以外は、実施例１７と同様にして、記録液（インク６１）を得た。
【０１５８】
比較例２４
２，２，４−トリメチル−１，３−ペンタンジオールに代えて、同量の１，８−オクタンジオールを含有させた以外は、実施例２と同様にして、記録液（インク６２）を得た。
【０１５９】
比較例２５
２−エチル−１，３−ヘキサンジオールに代えて、同量の２，４，６−トリメチル−１，７−ヘプタンジオールを含有させた以外は、実施例６と同様にして、記録液（インク６３）を得た。
【０１６０】
比較例２６
化合物（１）−５に代えて、下記式（４）で表される化合物を６重量％含有させた以外は、参考例４と同様にして、記録液（インク６４）を得た。
【化２１】
0004049533.tif 000019
【０１６１】
比較例２７
下記処方の組成物を混合攪拌した後、ｐＨが８になるように水酸化リチウム１０％水溶液により調整した。
次いで、平均孔径０．１μｍのメンブレンフィルターで濾過し、記録液（インク６５）を得た。
〔インク６５〕
Ｃ．Ｉ．アシッドブルー２３４                              ２％
ポリエチレングリコール＃２００                          １０％
下記式（５）で表される化合物                              ６％
【化２２】
0004049533.tif 000020
２−エチル−１，３−ヘキサンジオール                      １％
イオン交換水                                              残量
【０１６２】
比較例２８
化合物（１）−１、化合物（１）−３に代えて、それらの総量と同量のイオン交換水を含有させた以外は、実施例１と同様にして、記録液（インク６６）を得た。
【０１６３】
比較例２９
化合物（１）−１、化合物（１）−３に代えて、それらの総量と同量の２−エチル−１，３−ヘキサンジオールを含有させた以外は、実施例１と同様にして、記録液（インク６７）を得た。
【０１６４】
比較例３０
化合物（１−１）に代えて、同量の２，２，４−トリメチル−１，３−ペンタンジオールを含有させた以外は、実施例７と同様にして、記録液（インク６８）を得た。
【０１６５】
比較例３１
２，２，４−トリメチル−１，３−ペンタンジオールに代えて、化合物（２）−１が３重量％となるように添加し、残りをイオン交換水とした以外は、参考例１２と同様にして、記録液（インク６９）を得た。
【０１６６】
次に、実施例及び比較例で得られたインクついて、下記の試験を行った。
用いた記録装置は、下記（Ａ）、（Ｂ）、（Ｃ）の３台である。
評価記録装置（Ａ）
複数のノズルを有し、各ノズルから１滴あたりの吐出量２３ｐｌで吐出し、「普通紙」に対する液滴の打ち込み密度が、最密の状態で６００ｄｐｉであるピエゾ方式のインクジェットプリンター。
評価記録装置（Ｂ）
複数のノズルを有し、各ノズルから１滴あたりの吐出量４ｐｌで吐出し、「普通紙」に対する液滴の打ち込み密度が、最密の状態で１２００ｄｐｉであるサーマル方式のインクジェットプリンター。
評価記録装置（Ｃ）
３６０ｄｐｉピッチの４８ノズルを有し、出力画像に合わせて４ｐｌ、７ｐｌ、１１ｐｌのいずれかに１滴あたりの吐出量を制御することが可能であり、「普通紙」に対する液滴の打ち込み密度が最密の状態で、７２０ｄｐｉであるピエゾ方式のインクジェットプリンター。
【０１６７】
（１）画像の鮮明性
記録媒体としてＮＢＳリコー社製；マイペーパー（サイズ度１２ｓ，透気度１６ｓ）に印字を行い、乾燥後、画像の滲み、色調、濃度を目視及び反射型カラー分光測色濃度計（Ｘ−Ｒｉｔｅ社製）により総合的に判断した。
評価レベルは次のとおりである。
◎：きわめて良好な画像品質。
○：良好な画像品質。
△：普通の画像品質。
×：劣った画像品質。
【０１６８】
（２）画像の乾燥性
記録媒体にベタ画像印字後の画像に０．１ｋｇ／ｃｍ2の圧力で濾紙を押しつけインクが濾紙に転写しなくなるまでの時間を測定した。
評価レベルは次のとおりである。
○：３秒未満でで乾燥した場合。
△：３〜２０秒未満で乾燥した場合。
×：２０秒以上で乾燥した場合。
【０１６９】
（３）裏抜け
記録媒体に反射型カラー分光測色濃度計（Ｘ−Ｒｉｔｅ社製）で測定した各インク色での濃度が１．０となる様にベタ画像を形成した。
この画像を裏面から目視により観察し評価した。
評価レベルは次のとおりである。
◎：ベタ画像と白地部分の境界が完全に不明確で両面印字に使用しても支障のない場合。
○：ベタ画像と白地部分の境界がほとんど不明確で両面印字に使用しても支障のない場合。
△：ベタ画像の着色剤が裏面までは抜けていないが、ベタ画像と白地部分の境界がやや不明確で、両面印字に使用しても支障のない場合。
×：ベタ画像の着色剤が裏面まで抜けており、両面印字に使用できない場合。
【０１７０】
（４）擦過性
記録媒体に各インクで形成された画像を、印字３０秒後に指、布、消しゴム、マーキングペンで擦過し、擦過後の様子を目視により観察し評価した。
評価レベルは次のとおりである。
◎：画像の変化が全ての方法で発生しなかった場合。
○：画像の変化が一部の方法で発生しなかった場合。
△：画像の変化が全ての方法で若干、発生した場合。
×：画像の変化が全ての方法で発生した場合。
【０１７１】
（５）画像の埋まり
乾燥後、ベタ画像を観察し評価した。
評価レベルは次のとおりである。
◎：拡大して観察してもインクで均一に記録媒体が着色している場合。
○：目視で観察する限りインクで均一に記録媒体が着色している場合。
△：目視で観察しても不均一に記録媒体に着色している場合。
×：目視で地肌が見えるような不均一な着色の場合。
【０１７２】
（６）保存性
インクをインクジェットプリンターにセットしたまま、６０℃、７日間放置し、その後従来公知のインクジェットプリンターのクリーニング操作により評価した。
評価レベルは次のとおりである。
○：１回の操作で復帰可能な場合。
△：２〜５回の操作で復帰可能な場合。
×：５回を越える操作でも復帰しない場合。
【０１７３】
実施例１９〜３８
実施例６で得られたインクを用い、下記の記録媒体に対して印字評価した。
実施例１９：ゼロックス社製；ゼロックスペーパーＲ（サイズ度８ｓ、透気度２０ｓ）。
実施例２０：ＡＵＳＴＲＡＬＩＡＮ ＰＡＰＥＲ社製（オーストラリア）；ＲＥＦＬＥＸ（サイズ度２５ｓ、透気度４ｓ）。
実施例２１：ＮＢＳリコー社製；ＮＢＳ複写印刷用紙９０Ｋ（サイズ度６０ｓ、透気度６８ｓ）。
実施例２２：キャノン社製；ＰＢ用紙（サイズ度２１ｓ、透気度８ｓ）。
実施例２３：ＮＢＳリコー社製；ＮＢＳ複写印刷用紙４５Ｋ（サイズ度１１ｓ、透気度４５ｓ）。
実施例２４：本州製紙社製；やまゆり（サイズ度１２ｓ、透気度２１ｓ）。
実施例２５：リコー社製；紙源ＰＰＣ用紙タイプＳ（サイズ度２２ｓ、透気度１３ｓ）。
実施例２６：ゼロックス社製；Ｐ紙（サイズ度２４ｓ、透気度１９ｓ）。
実施例２７：ゼロックス社製；マルチエース（サイズ度２５ｓ、透気度１７ｓ）。
実施例２８：ゼロックス社製；Ｘｅｒｏｘ４０２４紙（サイズ度３２ｓ、透気度２１ｓ）。
【０１７４】
実施例１０で得られたインクを用い、下記の記録媒体に対して印字評価した。
実施例２９：ゼロックス社製；ゼロックスペーパーＲ（サイズ度８ｓ、透気度２０ｓ）。
実施例３０：ＡＵＳＴＲＡＬＩＡＮ ＰＡＰＥＲ社製（オーストラリア）；ＲＥＦＬＥＸ（サイズ度２５ｓ、透気度４ｓ）。
実施例３１：ＮＢＳリコー社製；ＮＢＳ複写印刷用紙９０Ｋ（サイズ度６０ｓ，透気度６８ｓ）。
実施例３２：キャノン社製；ＰＢ用紙（サイズ度２１ｓ、透気度８ｓ）。
実施例３３：ＮＢＳリコー社製；ＮＢＳ複写印刷用紙４５Ｋ（サイズ度１１ｓ、透気度４５ｓ）。
実施例３４：本州製紙社製；やまゆり（サイズ度１２ｓ、透気度２１ｓ）。
実施例３５：リコー社製；紙源ＰＰＣ用紙タイプＳ（サイズ度２２ｓ、透気度１３ｓ）。
実施例３６：ゼロックス社製；Ｐ紙（サイズ度２４ｓ、透気度１９ｓ）。
実施例３７：ゼロックス社製；マルチエース（サイズ度２５ｓ、透気度１７ｓ）。
実施例３８：ゼロックス社製；Ｘｅｒｏｘ ４０２４紙（サイズ度３２ｓ、透気度２１ｓ）。
【０１７５】
以上の評価結果を表１〜表３に示す。
【表１】
0004049533.tif 000021
【０１７６】
【表２】
0004049533.tif 000022
【０１７７】
【表３】
0004049533.tif 000023
【０１７８】
【発明の効果】
本発明によれば、高い浸透性を有し、吐出・噴射安定性、保存安定性に優れた記録液が提供され、この記録液を収容した記録液カートリッジが提供され、この記録液カートリッジを用いて、画像濃度が高く、高速性に富み、裏抜け等の少ない優れた画質を有する画像を高い安全性の下に形成し得る記録方法、記録装置が提供され、さらにこれら記録に好適な記録媒体が提供され、このような記録分野に寄与するところは、きわめて大きいものである。
【図面の簡単な説明】
【図１】本発明を適用した記録液を収容するインクカートリッジを搭載するシリアル型インクジェット記録装置の構成例を示す概略正面図である。
【図２】記録装置に装填する前のインクカートリッジの外観斜視図である。
【図３】インクカートリッジの正断面図である。
【図４】記録ヘッドと一体化された記録ユニットの外観斜視図である。
【符号の説明】
１  側板
２  側板
３  主支持ガイドロッド
４  従支持ガイドロッド
５  キャリッジユニット
６  インクジェットヘッド
７  インクカートリッジ
８  主走査モータ
９  駆動プーリ
１０  従動プーリ
１１  タイミングベルト
１２  底板
１３  サブフレーム
１４  サブフレーム
１５  帆走ローラ
１６  用紙
１７  副走査モータ
１８  ギア
１９  ギア
２１  信頼性回復機構
２２  キャップ手段
２３  ホルダ
２４  リンク部材
２６  吸引チューブ
２７  吸引ポンプ
２８  ワイパブレード
２９  ブレードアーム
４１  カートリッジ本体
４２  インク吸収体
４３  ケース
４４  上蓋部材
４５  インク供給口
４６  シールリング
４７  大気開放口
５０  キャップ部材
５５  フィルム状シール部材
【図１】
0004049533.tif 000027
【図２】
0004049533.tif 000028
【図３】
0004049533.tif 000029
【図４】
0004049533.tif 000030